(57)【要約】      （修正有）【課題】低レイテンシ通信のための短縮された送信時間間隔（ＴＴＩ）を使用した場合の確認応答方法を提供する。【解決手段】ユーザ機器（ＵＥ）は、基地局から、複数のダウンリンクチャネル送信を受信し、ここで、ダウンリンクチャネル送信の各々は、レガシ送信時間間隔（ＴＴＩ）に比べて短縮された第１のＴＴＩを使用して送られる８０２。ＵＥは、ダウンリンクチャネル送信がＵＥによって成功して受信されたか否かを示すグループ確認応答を含む単一のアップリンクチャネルを、第１のＴＴＩより大きい第２のＴＴＩを使用して送信する８０４。【選択図】図８
2020174354.tif 000002
【特許請求の範囲】
【請求項１】
ユーザ機器（ＵＥ）によるワイヤレス通信のための方法であって、
基地局から、複数のダウンリンクチャネル送信を受信することと、ここで、前記ダウンリンクチャネル送信の各々は、レガシ送信時間間隔（ＴＴＩ）に比べて短縮された第１のＴＴＩを使用して送られ、
前記第１のＴＴＩより大きい第２のＴＴＩを使用して送られる単一のアップリンクチャネル送信において、前記ダウンリンクチャネル送信が前記ＵＥによって成功して受信されたか否かを示すグループ確認応答を提供することと
を備える、方法。
【請求項２】
前記レガシＴＴＩは、サブフレーム持続時間に対応する持続時間を有し、
前記第２のＴＴＩは、サブフレームより少ない持続時間に対応する持続時間を有する、
請求項１に記載の方法。
【請求項３】
前記第１のＴＴＩは、シンボル持続時間に対応する持続時間を有する、請求項２に記載の方法。
【請求項４】
前記グループ確認応答は、１つまたは複数のサブフレームの複数のタイムスロットにおいて送られるダウンリンクチャネル送信を確認応答するために使用される、請求項１に記載の方法。
【請求項５】
前記グループ確認応答は、第１のサブフレームの第２のタイムスロット及び第２のサブフレームの第１のタイムスロットにおいて送られるダウンリンクチャネル送信を確認応答するために使用される、請求項１に記載の方法。
【請求項６】
ダウンリンクチャネル送信に対して前記グループ確認応答または個々の確認応答を使用するためのインジケーションを受信することをさらに備える、請求項１に記載の方法。
【請求項７】
前記インジケーションは、半静的シグナリングまたは動的シグナリングのうちの少なくとも１つである、請求項６に記載の方法。
【請求項８】
前記インジケーションは、チャネル状態情報（ＣＳＩ）または基準信号受信電力（ＲＳＲＰ）測定のうちの少なくとも１つに基づく、請求項７に記載の方法。
【請求項９】
前記グループ確認応答において否定的に確認応答されたダウンリンクチャネル送信の再送信を受信することをさらに備える、請求項１に記載の方法。
【請求項１０】
前記第２のＴＴＩは、前記レガシＴＴＩと同じである、請求項１に記載の方法。
【請求項１１】
前記ダウンリンクチャネル送信は、前記ＵＥのために構成された１つまたは複数のキャリア上で送信される、請求項１に記載の方法。
【請求項１２】
前記単一のアップリンクチャネル送信は、前記ＵＥのために構成されたプライマリセルまたはプライマリ第２セルのうちの少なくとも１つから送信される、請求項１に記載の方法。
【請求項１３】
個々の確認応答がダウンリンクチャネル送信に対して使用される場合、第１の数のＨＡＲＱ処理を決定することと、
グループ確認応答がダウンリンクチャネル送信に対して使用される場合、第２の数のＨＡＲＱ処理を決定することと
をさらに備える、請求項１に記載の方法。
【請求項１４】
前記複数のダウンリンクチャネル送信のうちの少なくとも２つは、同じＨＡＲＱ処理に関連付けられる、請求項１に記載の方法。
【請求項１５】
基地局によるワイヤレス通信のための方法であって、
ユーザ機器（ＵＥ）に、複数のダウンリンクチャネル送信を送ることと、ここで、前記ダウンリンクチャネル送信の各々は、レガシ送信時間間隔（ＴＴＩ）に比べて短縮された第１のＴＴＩを使用して送られ、
前記第１のＴＴＩより大きい第２のＴＴＩを使用して送られる単一のアップリンクチャネル送信において、前記ダウンリンクチャネル送信が前記ＵＥによって成功して受信されたか否かを示すグループ確認応答を受信することと
を備える、方法。
【請求項１６】
前記レガシＴＴＩは、サブフレーム持続時間に対応する持続時間を有し、
前記第２のＴＴＩは、サブフレームより少ない持続時間に対応する持続時間を有する、
請求項１５に記載の方法。
【請求項１７】
前記第１のＴＴＩは、シンボル持続時間に対応する持続時間を有する、請求項１６に記載の方法。
【請求項１８】
前記グループ確認応答は、１つまたは複数のサブフレームの複数のタイムスロットにおいて送られるダウンリンクチャネル送信を確認応答するために使用される、請求項１５に記載の方法。
【請求項１９】
前記グループ確認応答は、第１のサブフレームの第２のタイムスロット及び第２のサブフレームの第１のタイムスロットで送られるダウンリンクチャネル送信を確認応答するために使用される、請求項１５に記載の方法。
【請求項２０】
ダウンリンクチャネル送信に対して前記グループ確認応答または個々の確認応答を使用するためのインジケーションを送信することをさらに備える、請求項１５に記載の方法。
【請求項２１】
前記インジケーションは、半静的シグナリングまたは動的シグナリングのうちの少なくとも１つである、請求項２０に記載の方法。
【請求項２２】
前記インジケーションは、チャネル状態情報（ＣＳＩ）または基準信号受信電力（ＲＳＲＰ）測定のうちの少なくとも１つに基づく、請求項２１に記載の方法。
【請求項２３】
前記グループ確認応答において否定的に確認応答されたダウンリンクチャネル送信を再送信することをさらに備える、請求項１５に記載の方法。
【請求項２４】
前記第２のＴＴＩは、前記レガシＴＴＩと同じである、請求項１５に記載の方法。
【請求項２５】
前記ダウンリンクチャネル送信は、前記ＵＥのために構成された１つまたは複数のキャリア上で送信される、請求項１５に記載の方法。
【請求項２６】
前記単一のアップリンクチャネル送信は、前記ＵＥのために構成されたプライマリセルまたはプライマリ第２セルのうちの少なくとも１つから送信される、請求項１５に記載の方法。
【請求項２７】
個々の確認応答がダウンリンクチャネル送信に対して使用される場合、第１の数のＨＡＲＱ処理を決定することと、
グループ確認応答がダウンリンクチャネル送信に対して使用される場合、第２の数のＨＡＲＱ処理を決定することと
をさらに備える、請求項１５に記載の方法。
【請求項２８】
前記複数のダウンリンクチャネル送信のうちの少なくとも２つは、同じＨＡＲＱ処理に関連付けられる、請求項１５に記載の方法。
【請求項２９】
ワイヤレス通信のための装置であって、
基地局から、複数のダウンリンクチャネル送信を受信し、ここで、前記ダウンリンクチャネル送信の各々は、レガシ送信時間間隔（ＴＴＩ）に比べて短縮された第１のＴＴＩを使用して送られ、前記第１のＴＴＩより大きい第２のＴＴＩを使用して送られる単一のアップリンクチャネル送信において、前記ダウンリンクチャネル送信がＵＥによって成功して受信されたか否かを示すグループ確認応答を提供するように構成された少なくとも１つのプロセッサと、
前記少なくとも１つのプロセッサに結合されたメモリと
を備える、装置。
【請求項３０】
ワイヤレス通信のためのａｎであって、
ユーザ機器（ＵＥ）に、複数のダウンリンクチャネル送信を送り、ここで、前記ダウンリンクチャネル送信の各々は、レガシ送信時間間隔（ＴＴＩ）に比べて短縮された第１のＴＴＩを使用して送られ、前記第１のＴＴＩより大きい第２のＴＴＩを使用して送られる単一のアップリンクチャネル送信において、前記ダウンリンクチャネル送信が前記ＵＥによって成功して受信されたか否かを示すグループ確認応答を受信するように構成された少なくとも１つのプロセッサと、
前記少なくとも１つのプロセッサに結合されたメモリと
を備える、ａｎ。
【発明の詳細な説明】
【合衆国法典第３５編第１１９条の下での優先権の主張】
【０００１】
[0001]  本願は、２０１５年１月２６日に出願された「LOW LATENCY GROUP ACKNOWLEDGEMENTS」と題する米国仮特許出願第６２／１０８，０１９号の利益を主張する、２０１６年１月２５日に出願された米国特許出願第１５／００５，２８９号の優先権を主張し、両出願ともその全体がここに参照によって組み込まれる。
【技術分野】
【０００２】
[0002]  本開示は、一般に、通信システムに関し、特に、低レイテンシ通信のための短縮された送信時間間隔（ＴＴＩ）を可能にするクイックアップリンクチャネルに関する。
【背景技術】
【０００３】
[0003]  ワイヤレス通信システムは、電話通信、ビデオ、データ、メッセージング、及びブロードキャストのような様々な電気通信サービスを提供するために広く展開されている。典型的なワイヤレス通信システムは、利用可能なシステムリソース（例えば、帯域幅、送信電力）を共有することによって複数のユーザとの通信をサポートすることができる多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリア周波数分割多元接続（ＳＣ−ＦＤＭＡ）システム、及び時分割同期符号分割多元接続（ＴＤ−ＳＣＤＭＡ）システムを含む。
【０００４】
[0004]  これらの多元接続技術は、異なるワイヤレスデバイスが都市レベル、国レベル、地域レベル、及び世界的なレベルでも通信することを可能にする共通のプロトコルを提供するために、様々な電気通信規格に採用されている。台頭しつつある電気通信規格の例は、ロングタームエボリューション（ＬＴＥ（登録商標））である。ＬＴＥは、第３世代パートナシッププロジェクト（３ＧＰＰ（登録商標））によって公表された、ユニバーサルモバイル電気通信システム（ＵＭＴＳ）モバイル規格の強化（enhancement）のセットである。それは、スペクトル効率を改善すること、コストを下げること、サービスを改善すること、新たなスペクトルを利用すること、並びにダウンリンク（ＤＬ）にＯＦＤＭＡを使用し、アップリンク（ＵＬ）にＳＣ−ＦＤＭＡを使用し、及び多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスへの需要が増加し続けるにつれて、ＬＴＥ技術にはさらなる改善の必要性が存在する。好ましくは、これらの改善は、これらの技術を用いる電気通信規格及び他の多元接続技術に適用可能であるべきである。
【０００５】
[0005]  レガシＬＴＥを用いるワイヤレス通信システムでは、ｅノードＢは、物理アップリンク共有チャネル（ＰＵＳＣＨ）と呼ばれる共有アップリンクチャネルを通して複数のＵＥからデータを受信し得る。加えて、ＰＵＳＣＨに関連付けられた制御情報は、物理アップリンク制御チャネル（ＰＵＣＣＨ）、及び／または拡張ＰＵＣＣＨ（ｅＰＵＣＣＨ）を介してＵＥによって、ｅノードＢに送信され得る。
【発明の概要】
【０００６】
[0006]  本開示の態様は、低レイテンシの通信のための短縮された送信時間間隔（ＴＴＩ）を可能にするクイックアップリンクチャネルについてのメカニズムを提供する。
【０００７】
[0007]  本開示のある態様は、ユーザ機器（ＵＥ）によるワイヤレス通信のための方法を提供する。方法は、一般に、基地局から、複数のダウンリンクチャネル送信を受信することと、ここで、ダウンリンクチャネル送信の各々は、レガシ送信時間間隔（ＴＴＩ）に比べて短縮された第１のＴＴＩを使用して送られ、第１のＴＴＩより大きい第２のＴＴＩを使用して送られる単一のアップリンクチャネル送信において、ダウンリンクチャネル送信がＵＥによって成功して受信されたか否かを示すグループ確認応答を提供することとを含む。
【０００８】
[0008]  本開示のある態様は、基地局（ＢＳ）によるワイヤレス通信のための方法を提供する。方法は、一般に、ユーザ機器（ＵＥ）に、複数のダウンリンクチャネル送信を送ることと、ここで、ダウンリンクチャネル送信の各々は、レガシ送信時間間隔（ＴＴＩ）に比べて短縮された第１のＴＴＩを使用して送られ、第１のＴＴＩより大きい第２のＴＴＩを使用して送られる単一のアップリンクチャネル送信において、ダウンリンクチャネル送信がＵＥによって成功して受信されたか否かを示すグループ確認応答を受信することとを含む。
【０００９】
[0009]  本開示のある態様は、ワイヤレス通信のための装置を提供する。装置は、一般に、基地局から、複数のダウンリンクチャネル送信を受信し、ここで、ダウンリンクチャネル送信の各々は、レガシ送信時間間隔（ＴＴＩ）に比べて短縮された第１のＴＴＩを使用して送られ、第１のＴＴＩより大きい第２のＴＴＩを使用して送られる単一のアップリンクチャネル送信において、ダウンリンクチャネル送信がＵＥによって成功して受信されたか否かを示すグループ確認応答を提供するように構成された少なくとも１つのプロセッサと、少なくとも１つのプロセッサに結合されたメモリとを含む。
【００１０】
[0010]  本開示のある態様は、ワイヤレス通信のための装置を提供する。装置は、一般に、ユーザ機器（ＵＥ）に、複数のダウンリンクチャネル送信を送り、ここで、ダウンリンクチャネル送信の各々は、レガシ送信時間間隔（ＴＴＩ）に比べて短縮された第１のＴＴＩを使用して送られ、第１のＴＴＩより大きい第２のＴＴＩを使用して送られる単一のアップリンクチャネル送信において、ダウンリンクチャネル送信がＵＥによって成功して受信されたか否かを示すグループ確認応答を受信するように構成された少なくとも１つのプロセッサと、少なくとも１つのプロセッサに結合されたメモリとを含む。
【００１１】
[0011]  本開示のある態様は、ワイヤレス通信のための装置を提供する。装置は、一般に、基地局から、複数のダウンリンクチャネル送信を受信するための手段と、ここで、ダウンリンクチャネル送信の各々は、レガシ送信時間間隔（ＴＴＩ）に比べて短縮された第１のＴＴＩを使用して送られ、第１のＴＴＩより大きい第２のＴＴＩを使用して送られる単一のアップリンクチャネル送信において、ダウンリンクチャネル送信がＵＥによって成功して受信されたか否かを示すグループ確認応答を提供するための手段とを含む。
【００１２】
[0012]  本開示のある態様は、ワイヤレス通信のための装置を提供する。装置は、一般に、ユーザ機器（ＵＥ）に、複数のダウンリンクチャネル送信を送るための手段と、ここで、ダウンリンクチャネル送信の各々は、レガシ送信時間間隔（ＴＴＩ）に比べて短縮された第１のＴＴＩを使用して送られ、第１のＴＴＩより大きい第２のＴＴＩを使用して送られる単一のアップリンクチャネル送信において、ダウンリンクチャネル送信がＵＥによって成功して受信されたか否かを示すグループ確認応答を受信するための手段とを含む。
【００１３】
[0013]  本開示のある態様は、ワイヤレス通信のためのコンピュータ読取可能な媒体を提供する。コンピュータ読取可能な媒体は、一般に、基地局から、複数のダウンリンクチャネル送信を受信することと、ここで、ダウンリンクチャネル送信の各々は、レガシ送信時間間隔（ＴＴＩ）に比べて短縮された第１のＴＴＩを使用して送られ、第１のＴＴＩより大きい第２のＴＴＩを使用して送られる単一のアップリンクチャネル送信において、ダウンリンクチャネル送信がＵＥによって成功して受信されたか否かを示すグループ確認応答を提供することとのためのコードを含む。
【００１４】
[0014]  本開示のある態様は、ワイヤレス通信のためのコンピュータ読取可能な媒体を提供する。コンピュータ読取可能な媒体は、一般に、ユーザ機器（ＵＥ）に、複数のダウンリンクチャネル送信を送ることと、ここで、ダウンリンクチャネル送信の各々は、レガシ送信時間間隔（ＴＴＩ）に比べて短縮された第１のＴＴＩを使用して送られ、第１のＴＴＩより大きい第２のＴＴＩを使用して送られる単一のアップリンクチャネル送信において、ダウンリンクチャネル送信がＵＥによって成功して受信されたか否かを示すグループ確認応答を受信することとのためのコードを含む。
【００１５】
[0015]  ある態様は、ここに説明される動作を実行するための様々な方法、装置、コンピュータ読取可能な媒体、及びコンピュータプログラム製品を提供する。
【図面の簡単な説明】
【００１６】
【図１】[0016]本開示の態様に従った、電気通信システムの例を概念的に例示するブロック図を示す。
【図２】[0017]アクセスネットワークの例を例示する図である。
【図３】[0018]ＬＴＥにおけるＤＬフレーム構造の例を例示する図である。
【図４】[0019]ＬＴＥにおけるＵＬフレーム構造の例を例示する図である。
【図５】[0020]ユーザ及び制御プレーンに関する無線プロトコルアーキテクチャの例を例示する図である。
【図６】[0021]アクセスネットワークにおける発展型ノードＢ及びユーザ機器の例を例示する図である。
【図７】[0022]本開示の態様に従った、例となる低レイテンシ送信を例示する。
【図８】[0023]本開示の態様に従った、ユーザ機器（ＵＥ）によるワイヤレス通信のための例となる動作を例示する。
【図９】[0024]本開示の態様に従った、基地局（ＢＳ）によるワイヤレス通信のための例となる動作を例示する。
【図１０】[0025]本開示のある態様に従った、グループ確認応答のためのスロットベースのアプローチを例示する。
【図１１】［0026]本開示のある態様に従った、グループ確認応答のためのサブフレームベースのアプローチを例示する。
【図１２】[0027]本開示のある態様に従った、グループ確認応答のための別のサブフレームベースのアプローチを例示する。
【詳細な説明】
【００１７】
[0028]  ＬＴＥのようなワイヤレス通信システムにおけるアップリンク及びダウンリンクチャネルのための従来の送信時間間隔（ＴＴＩ）は、サブフレーム持続時間である。いくつかのケースでは、ワイヤレス通信システムにおいてレイテンシを短縮するのを助けようとして（例えば、短縮された処理及び応答時間を可能にすること）、レガシサブフレーム持続時間ＴＴＩに比べて短縮されたＴＴＩを有する低レイテンシ「クイック」チャネルが使用され得る。例えば、（１つまたは２つのシンボル持続時間の短縮されたＴＴＩを有する）「クイック」ダウンリンクチャネルが、使用され得る。いくつかのケースでは、そして次に、ダウンリンクチャネル送信は、（同様に短縮されたＴＴＩを有する）クイックアップリンクチャネル送信で確認応答され得る。
【００１８】
[0029]  しかしながら、このような低レイテンシアップリンク及びダウンリンク制御チャネルは、全ての条件において最適ではない場合がある。例えば、劣悪なチャネル条件（poor channel conditions）は、望ましくない量の迅速な再送信をもたらし得、それは、最初の段階でクイックチャネル送信を使用することにより達成される利得のうちのいくつかを打ち消し（counteract）得る。
【００１９】
[0030]  したがって、本開示の態様は、例えば、「クイック」ダウンリンクチャネルより大きいＴＴＩを有するアップリンク送信を使用して、ダウンリンクチャネル送信（例えば、レガシＴＴＩと比較して短縮されたＴＴＩを有するダウンリンクチャネル）のグループ確認応答のための技法を提供する。
【００２０】
[0031]  さらに、本開示のある態様は、加えて、クイックチャネル（例えば、ＱＰＵＣＣＨ、ＱＥＰＵＣＣＨ、ＱＰＵＳＣＨ）と並行して、レガシチャネル（例えば、ＰＤＣＣＨ、ＥＰＤＣＣＨ、ＰＤＳＣＨ）のフレームスケジューリングを実施する。ここに説明される方法と装置は、クイックチャネルスケジューリング及び／またはレガシスケジューリングを利用するように構成された適用例について実施され得る。ここに説明されるクイックＬＴＥスケジューリング方法は、レガシの１ｍｓＴＴＩよりむしろ、０．５ｍｓ（１タイムスロット）以下のＴＴＩを利用し得るので、これらの方法は、通信レートを増加させ得、レガシＬＴＥハイブリッド自動再送要求（ＨＡＲＱ）プロシージャに関連付けられたラウンドトリップ時間（ＲＴＴ）を半分に（例えば８ｍｓから４ｍｓ以下に）削減し得る。
【００２１】
[0032]  添付の図面に関連して以下に記載される詳細な説明は、様々な構成の説明として意図されており、ここに説明される概念が実践され得る唯一の構成を表すように意図されていない。詳細な説明は、様々な概念の完全な理解を提供する目的のために特定の詳細を含む。しかしながら、これらの概念がこれらの特定の詳細なしで実践され得ることは、当業者には明らかだろう。いくつかの事例では、周知の構造及びコンポーネントが、このような概念を曖昧にすることを避けるために、ブロック図形態で示される。
【００２２】
[0033]  電気通信システムのいくつかの態様は、ここで、様々な装置及び方法を参照して表されることになる。これらの装置及び方法は、以下の詳細な説明において説明され、添付の図面において、様々なブロック、モジュール、コンポーネント、回路、ステップ、処理、アルゴリズム等（集合的には「要素」と称される）により例示されることになる。これらの要素は、電子ハードウェア、コンピュータソフトウェア、またはこれらの任意の組み合わせを使用して実施され得る。このような要素が、ハードウェアとして実施されるか、またはソフトウェアとして実施されるかは、特定の適用例及びシステム全体に課せられる設計制約に依存する。
【００２３】
[0034]  例として、要素、または要素の任意の部分、または要素の任意の組み合わせは、１つまたは複数のプロセッサを含む「処理システム」を用いて実施され得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、及び本開示全体にわたって説明される様々な機能を実行するように構成された他の適切なハードウェアを含む。処理システムにおける１つまたは複数のプロセッサは、ソフトウェアを実行し得る。ソフトウェアは、ソフトウェア、ファームウェア、ミドルウェア、マイクロコード、ハードウェア記述言語、またはその他の名称で称されるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されるべきである。
【００２４】
[0035]  よって、１つまたは複数の態様では、説明される機能は、ハードウェア、ソフトウェア、またはそれらの組み合わせで実施され得る。ソフトウェアで実施される場合、機能は、コンピュータ読取可能な媒体上で、１つまたは複数の命令またはコードとして記憶または符号化され得る。コンピュータ読取可能な媒体は、コンピュータ記憶媒体を含む。記憶媒体は、コンピュータによってアクセスされることができる任意の利用可能な媒体であり得る。限定ではなく例として、そのようなコンピュータ読取可能な媒体は、ＲＡＭ、ＲＯＭ、ＥＥＰＲＯＭ（登録商標）、ＣＤ−ＲＯＭもしくは他の光ディスク記憶装置、磁気ディスク記憶装置もしくは他の磁気記憶デバイス、またはデータ構造または命令の形態で所望のプログラムコードを記憶または搬送するために使用されることができ、コンピュータによってアクセスされることができる任意の他の媒体を備えることができる。ここで使用されるように、ディスク（disk）及びディスク（disc）は、コンパクトディスク（ＣＤ）、レーザーディスク（登録商標）、光学ディスク、デジタル多用途ディスク（ＤＶＤ）、及びフロッピー（登録商標）ディスクを含み、ここでディスク（disk）は、通例、データを磁気的に再生し、一方、ディスク（disc）は、レーザーを用いてデータを光学的に再生する。上記の組み合わせはまた、コンピュータ読取可能な媒体の範囲内に含まれるべきである。
【００２５】
[0036]  図１をまず参照すると、図は、本開示の態様が、例えば、レガシＴＴＩに対して短縮されたＴＴＩを有するダウンリンクチャネル送信のグループ確認応答を提供するために実践され得る、ワイヤレス通信システム１００の例を例示している。
【００２６】
[0037]  ワイヤレス通信システム１００は、複数のアクセスポイント（例えば、基地局、ｅＮＢ、またはＷＬＡＮアクセスポイント）１０５、いくつかのユーザ機器（ＵＥ）１１５、コアネットワーク１３０を含む。アクセスポイント１０５は、いくつかのＲＥブロックに対して１つのスロットのＴＴＩを含み得るクイックＬＴＥチャネルを使用して、いくつかのＵＥ１１５との制御情報及びユーザデータの通信を促進するように構成されたアップリンクスケジューリングコンポーネント６０２を含み得る。同様に、ＵＥ１１５のうちの１つまたは複数は、クイックＬＴＥチャネル構造を使用して、送信及び動作するように構成されたアップリンク送信機コンポーネント６６１を含み得る。アクセスポイント１０５のいくつかは、様々な例において、あるアクセスポイント１０５（例えば、基地局またはｅＮＢ）またはコアネットワーク１３０の一部であり得る、基地局コントローラ（図示せず）の制御下でＵＥ１１５と通信し得る。アクセスポイント１０５は、バックホールリンク１３２を通じて、コアネットワーク１３０と制御情報及び／またはユーザデータを通信し得る。例では、アクセスポイント１０５は、直接的または間接的どちらかで、ワイヤードまたはワイヤレス通信リンクであり得るバックホールリンク１３４を通して互いに通信し得る。ワイヤレス通信システム１００は、複数のキャリア（異なる周波数の波形信号）上の動作をサポートし得る。マルチキャリア送信機は、複数のキャリア上で同時に、変調された信号を送信することができる。例えば、各通信リンク１２５は、上述された様々な無線技術に従って変調されたマルチキャリア信号であり得る。各変調された信号は、異なるキャリア上で送られ、制御情報（例えば、基準信号、制御チャネル、等）、オーバヘッド情報、データ、等を搬送し得る。
【００２７】
[0038]  いくつかの例では、ワイヤレス通信システム１００の少なくとも一部は、ＵＥ１１５のうちの１つまたは複数及びアクセスポイント１０５のうちの１つまたは複数が別の階層レイヤに対して短縮されたレイテンシを有する階層レイヤ上の送信をサポートするように構成され得る、複数の階層レイヤ上で動作するように構成され得る。いくつかの例では、ハイブリッドＵＥ１１５−ａは、第１のサブフレームタイプで第１のレイヤ送信をサポートする第１の階層レイヤ、及び第２のサブフレームタイプで第２のレイヤ送信をサポートする第２の階層レイヤの両方の上で、アクセスポイント１０５−ａと通信し得る。例えば、アクセスポイント１０５−ａは、第１のサブフレームタイプのサブフレームと時分割複信された第２のサブフレームタイプのサブフレームを送信し得る。
【００２８】
[0039]  いくつかの例では、アクセスポイント１０５−ａは、例えばＨＡＲＱスキームを通じて、送信に対するＡＣＫ／ＮＡＣＫを提供することによって送信の受信を確認応答し得る。第１の階層レイヤにおける送信についてのアクセスポイント１０５−ａからの確認応答は、いくつかの例では、送信が受信されたサブフレームに続く所定の数のサブフレームの後に、提供され得る。ＡＣＫ／ＮＡＣＫを送信し、及び再送信を受信するのに要する時間は、ラウンドトリップ時間（ＲＴＴ）と称され得、したがって、第２のサブフレームタイプのサブフレームは、第１のサブフレームタイプのサブフレームのためのＲＴＴより短い第２のＲＴＴを有し得る。
【００２９】
[0040]  他の例では、第２のレイヤＵＥ１１５−ｂは、第２の階層レイヤ上のみで、アクセスポイント１０５−ｂと通信し得る。したがって、レガシＵＥ１１５は、第１の階層レイヤ上のみで通信し得るＵＥ１１５の第１の階級に属し得るが、ハイブリッドＵＥ１１５−ａ及び第２のレイヤＵＥ１１５−ｂは、第２の階層レイヤ上で通信し得るＵＥ１１５の第２の階級に属し得る。したがって、第２のレイヤＵＥ１１５−ｂは、第１の階層レイヤ上で動作するＵＥ１１５と比較して短縮されたレイテンシで動作し得る。
【００３０】
[0041]  アクセスポイント１０５は、１つまたは複数のアクセスポイントアンテナを介してＵＥ１１５とワイヤレスに通信し得る。アクセスポイント１０５のサイトの各々は、それぞれのカバレッジエリア１１０に対して通信カバレッジを提供し得る。いくつかの例では、アクセスポイント１０５は、トランシーバ基地局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の適切な用語で称され得る。基地局のためのカバレッジエリア１１０は、そのカバレッジエリアの一部のみを構成するセクタ（図示せず）に分けられ（divided）得る。ワイヤレス通信システム１００は、異なるタイプのアクセスポイント１０５（例えば、マクロ、マイクロ、及び／またはピコ基地局）を含み得る。アクセスポイント１０５はまた、セルラ及び／またはＷＬＡＮ無線アクセス技術のような異なる無線技術を利用し得る。アクセスポイント１０５は、同じまたは異なるアクセスネットワークまたはオペレータ展開に関連付けられ得る。同じまたは異なるタイプのアクセスポイント１０５のカバレッジエリアを含み、同じまたは異なる無線技術を利用し、及び／または、同じまたは異なるアクセスネットワークに属する、異なるアクセスポイント１０５のカバレッジエリアは、重なり得る。
【００３１】
[0042]  ＬＴＥ／ＬＴＥ−Ａネットワーク通信システムでは、発展型ノードＢ（ｅノードＢまたはｅＮＢ）という用語は、一般に、アクセスポイント１０５を説明するために使用され得る。ワイヤレス通信システム１００は、異なるタイプのアクセスポイントが様々な地理的領域に対してカバレッジを提供する、異機種ＬＴＥ／ＬＴＥ−Ａ／ＵＬＬ  ＬＴＥネットワークであり得る。例えば、各アクセスポイント１０５は、マクロセル、ピコセル、フェムトセル、及び／または他のタイプのセルに対して通信カバレッジを提供し得る。ピコセル、フェムトセル、及び／または他のタイプのセルのようなスモールセルは、低電力ノードすなわちＬＰＮを含み得る。マクロセルは、一般に、比較的広い地理的エリア（例えば、半径数キロメートル）をカバーし、ネットワークプロバイダにサービス加入しているＵＥ１１５による制限のないアクセスを可能にし得る。スモールセルは、一般に、比較的より小さい地理的エリアをカバーし、例えば、ネットワークプロバイダにサービス加入しているＵＥ１１５による制限のないアクセスを可能にし得、制限のないアクセスに加え、スモールセルとの関連を有するＵＥ１１５（例えば、クローズド加入者グループ（ＣＳＧ）の中のＵＥ、家の中のユーザのためのＵＥ、及び同様のもの）による制限されたアクセスも提供し得る。マクロセルのためのｅＮＢは、マクロｅＮＢと称され得る。スモールセルのためのｅＮＢは、スモールセルｅＮＢと称され得る。ｅＮＢは、１つまたは複数（例えば、２つ、３つ、４つ、等）のセルをサポートし得る。
【００３２】
[0043]  コアネットワーク１３０は、バックホール１３２（例えば、Ｓ１インタフェース、等）を介して、ｅＮＢまたは他のアクセスポイント１０５と通信し得る。アクセスポイント１０５はまた、例えば、バックホールリンク１３４（例えば、Ｘ２インタフェース、等）を介して、及び／またはバックホールリンク１３２（例えば、コアネットワーク１３０を通じて）を介して、直接的にまたは間接的に、互いに通信し得る。ワイヤレス通信システム１００は、同期または非同期動作をサポートし得る。同期動作では、アクセスポイント１０５は、類似のフレームタイミングを有し得、異なるアクセスポイント１０５からの送信は、ほぼ時間的に整列され得る。非同期動作では、アクセスポイント１０５は、異なるフレームタイミングを有し得、異なるアクセスポイント１０５からの送信は、時間的に整列されない場合がある。さらに、第１の階層レイヤ及び第２の階層レイヤにおける送信は、アクセスポイント１０５の間で同期される場合もされない場合もある。ここに説明される技法は、同期または非同期動作のいずれかのために使用され得る。
【００３３】
[0044]  ＵＥ１１５は、ワイヤレス通信システム１００全体にわたって分散され得、各ＵＥ１１５は、固定またはモバイルであり得る。ＵＥ１１５はまた、モバイル局、加入者局、局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適切な専門用語として、当業者により称され得る。ＵＥ１１５は、セルラフォン、スマートフォン、携帯情報端末（ＰＤＡ）、ワイヤレスモデム、ワイヤレス通信デバイス、ハンドヘルドデバイス、タブレットコンピュータ、ラップトップコンピュータ、ネットブック、スマートブック、ウルトラブック、コードレスフォン、リストバンド、時計、眼鏡、指輪、ブレスレット、服、バーチャルリアリティヘッドセット等のようなウェアラブルアイテム、ヘッドアップディスプレイ、ワイヤレスローカルループ（ＷＬＬ）局、カメラ、ドローン、ロボット／ロボット的デバイス、ダッシュボード、ナビゲーションシステム、娯楽デバイス（例えば、音楽デバイス、ゲームデバイス）、ヘルスケア／メディカルデバイス、車両デバイス、等であり得る。いくつかのＵＥは、遠隔デバイスを含み得、基地局、別の遠隔デバイス、または何らかの他のエンティティと通信し得るマシンタイプ通信（ＭＴＣ：machine-type communication）ＵＥとみなされ得る。ＭＴＣは、通信の少なくとも一端で少なくとも１つの遠隔デバイスを伴う通信を指し得、必ずしも人間の介入（human interaction）を必要としない１つまたは複数のエンティティを伴う、データ通信の形態を含み得る。ＭＴＣ  ＵＥは、例えば、公衆地上モバイルネットワーク（ＰＬＭＮ：Public Land Mobile Networks）を通じてＭＴＣサーバ及び／または他のＭＴＣデバイスとＭＴＣ通信が可能であるＵＥを含み得る。ＭＴＣ  ＵＥの例は、センサ、メータ、モニタ、位置（location）タグ、ドローン、トラッカ（tracker）、ロボット／ロボット的デバイス、等を含む。ＭＴＣ  ＵＥも他のタイプのＵＥも、ＮＢ−ＩｏＴ（狭帯域のモノのインターネット：narrowband internet of things）デバイスとして実施され得る。ＵＥ１１５は、マクロｅノードＢ、スモールセルｅノードＢ、中継器、及び同様のものと通信可能であり得る。ＵＥ１１５はまた、セルラもしくは他のＷＷＡＮアクセスネットワーク、またはＷＬＡＮアクセスネットワークのような異なるアクセスネットワークを通して通信可能であり得る。
【００３４】
[0045]  ワイヤレス通信システム１００で示されている通信リンク１２５は、ＵＥ１１５からアクセスポイント１０５へのアップリンク（ＵＬ）送信、及び／またはアクセスポイント１０５からＵＥ１１５へのダウンリンク（ＤＬ）送信を含み得る。ダウンリンク送信は、順方向リンク送信とも呼ばれ得、一方で、アップリンク送信は、逆方向リンク送信とも呼ばれ得る。通信リンク１２５は、いくつかの例では、通信リンク１２５において、多重化され得る各階層レイヤの送信を搬送し得る。ＵＥ１１５は、例えば、多入力多出力（ＭＩＭＯ）、キャリアアグリゲーション（ＣＡ）、多地点協調（ＣｏＭＰ）、または他のスキームを通じて、複数のアクセスポイント１０５と協調的に通信するように構成され得る。ＭＩＭＯ技法は、複数のデータストリームを送信するために、アクセスポイント１０５上の複数のアンテナ及び／またはＵＥ１１５上の複数のアンテナを使用する。キャリアアグリゲーションは、データ送信のために同じまたは異なるサービス提供セル上の２つ以上のコンポーネントキャリアを利用し得る。ＣｏＭＰは、ネットワーク及びスペクトル利用を増加させることだけでなく、ＵＥ１１５のための全体的な送信品質を改善させるための、いくつかのアクセスポイント１０５による送信及び受信の協調のための技法を含み得る。
【００３５】
[0046]  言及したように、いくつかの例では、アクセスポイント１０５及びＵＥ１１５は、複数のキャリア上で送信するためにキャリアアグリゲーション（ＣＡ）を利用し得る。いくつかの例では、アクセスポイント１０５及びＵＥ１１５は、フレーム内で、第１の階層レイヤで、２つ以上の別個のキャリアを使用して第１のサブフレームタイプを各々が有する１つまたは複数のサブフレームを同時に送信し得る。他の帯域幅が利用され得るけれども、例えば、各キャリアは、２０ＭＨｚの帯域幅を有し得る。ハイブリッドＵＥ１１５−ａ及び／または第２のレイヤＵＥ１１５−ｂは、ある例では、別個のキャリアのうちの１つまたは複数の帯域幅より大きい帯域幅を有する単一キャリアを利用して第２の階層レイヤで１つまたは複数のサブフレームを受信及び／または送信し得る。例えば、４つの別個の２０ＭＨｚキャリアが、第１の階層レイヤにおいてキャリアアグリゲーションスキームで使用される場合、単一の８０ＭＨｚキャリアが、第２の階層レイヤで使用され得る。８０ＭＨｚキャリアは、４つの２０ＭＨｚキャリアのうちの１つまたは複数によって使用される無線周波数スペクトルと少なくとも部分的に重なる無線周波数スペクトルの一部を占有し得る。いくつかの例では、第２の階層レイヤタイプのためのスケーラブル帯域幅は、さらに強化されたデータレートを提供するために、上述したようなより短いＲＴＴを提供するための他の技法と組み合わされ得る。
【００３６】
[0047]  ワイヤレス通信システム１００によって用いられ得る異なる動作モードの各々は、周波数分割複信（ＦＤＤ）または時分割複信（ＴＤＤ）に従って、動作し得る。いくつかの例では、異なる階層レイヤは、異なるＴＤＤまたはＦＤＤモードに従って動作し得る。例えば、第１の階層レイヤは、ＦＤＤに従って動作し得、一方、第２の階層レイヤは、ＴＤＤに従って動作し得る。いくつかの例では、ＯＦＤＭＡ通信信号は、各階層レイヤに関するＬＴＥダウンリンク送信のために、通信リンク１２５において使用され得、一方、単一キャリア周波数分割多元接続（ＳＣ−ＦＤＭＡ）通信信号は、各階層レイヤにおけるＬＴＥアップリンク送信のために、通信リンク１２５において使用され得る。ワイヤレス通信システム１００のようなシステムにおける階層レイヤの実施に関する追加の詳細も、そのようなシステムにおける通信に関連する他の特徴及び機能も、以下の図を参照して以下に提供される。
【００３７】
[0048]  図２は、本開示の態様が、例えば、レガシＴＴＩに対して短縮されたＴＴＩを有するダウンリンクチャネル送信のグループ確認応答を提供するために実践され得る、ＬＴＥネットワークアーキテクチャにおけるアクセスネットワーク２００の例を例示する図である。
【００３８】
[0049]  この例では、アクセスネットワーク２００が、いくつかのセルラ領域（セル）２０２に分けられている。１つまたは複数のより低い電力クラスのｅＮＢ２０８は、セル２０２のうちの１つまたは複数と重なるセルラ領域２１０を有し得る。より低い電力クラスのｅＮＢ２０８は、フェムトセル（例えば、ホームｅＮＢ（ＨｅＮＢ））、ピコセル、マイクロセル、または遠隔無線ヘッド（ＲＲＨ）であり得る。マクロｅＮＢ２０４は、それぞれのセル２０２に、各々割り当てられ、セル２０２内の全てのＵＥ２０６に対して、発展型パケットコア（ＥＰＣ）へのアクセスポイントを提供するように構成されている。ある態様では、ｅＮＢ２０４は、いくつかのＲＥブロックに対して１つのスロットのＴＴＩを含み得る、例えば、図１０のデータ構造１０００であるがそれに限定されないクイックＬＴＥデータ構造を使用して、いくつかのＵＥ１１５との制御情報及びユーザデータの通信を促進するように構成されたアップリンクスケジューリングコンポーネント６０２を含み得る。同様に、ＵＥ２０６のうちの１つまたは複数は、そのデータ構造を使用して、送信、復号、及び動作するように構成されたアップリンク送信機コンポーネント６６１を含み得る。アクセスネットワーク２００のこの例では、集中型コントローラがないが、代替の構成では、集中型コントローラが使用され得る。ｅＮＢ２０４は、無線ベアラ制御、アドミッション制御、モビリティ制御、スケジューリング、機密保護（security）、及びサービングゲートウェイ１１６への接続を含む、全ての無線関連機能を担う。
【００３９】
[0050]  アクセスネットワーク２００によって用いられる変調及び多元接続スキームは、展開されている特定の電気通信規格に依存して異なり得る。ＬＴＥアプリケーションでは、周波数分割複信（ＦＤＤ）及び時分割複信（ＴＤＤ）の両方をサポートするために、ＯＦＤＭがＤＬ上で使用され、ＳＣ−ＦＤＭＡがＵＬ上で使用される。以下に続く詳細な説明から当業者が容易に認識するように、ここで表される様々な概念は、ＬＴＥアプリケーションによく適合する。しかしながら、これらの概念は、他の変調及び多元接続技法を用いる他の電気通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯ及びＵＭＢは、ＣＤＭＡ２０００規格ファミリの一部として、第３世代パートナシッププロジェクト２（３ＧＰＰ２）によって公表されたエアインターフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））及びＴＤ−ＳＣＤＭＡのようなＣＤＭＡの他の変形例を用いるユニバーサル地上無線アクセス（ＵＴＲＡ）、ＴＤＭＡを用いるモバイル通信のためのグローバルシステム（ＧＳＭ（登録商標））、並びにＯＦＤＭＡを用いる、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、及びフラッシュＯＦＤＭに拡張され得る。ＵＴＲＡ、Ｅ−ＵＴＲＡ、ＵＭＴＳ、ＬＴＥ、及びＧＳＭは、３ＧＰＰ組織からの文書に説明されている。ＣＤＭＡ２０００及びＵＭＢは、３ＧＰＰ２組織からの文書に説明されている。用いられる実際のワイヤレス通信規格及び多元接続技術は、特定の適用例及びシステムに課せられる全体的な設計制約に依存するだろう。
【００４０】
[0051]  ｅＮＢ２０４は、ＭＩＭＯ技術をサポートする複数のアンテナを有し得る。ＭＩＭＯ技術の使用は、ｅＮＢ２０４が、空間多重化、ビームフォーミング、及び送信ダイバーシティをサポートするために空間領域を活用することを可能にする。空間多重化は、同じ周波数上で同時にデータの異なるストリームを送信するために使用され得る。データストリームは、データレートを増加させるために単一のＵＥ２０６に、または、全体的なシステム容量を増加させるために複数のＵＥ２０６に、送信され得る。これは、各データストリームを空間的にプリコーディングし（すなわち、振幅及び位相のスケーリングを適用し）、その後、ＤＬ上で複数の送信アンテナを通じて各空間的にプリコーディングされたストリームを送信することによって達成される。空間的にプリコーディングされたデータストリームは、異なる空間シグネチャとともにＵＥ（１つまたは複数）２０６へと到達し、これは、ＵＥ（１つまたは複数）２０６の各々が、そのＵＥ２０６に宛てられた１つまたは複数のデータストリームを復元することを可能にする。ＵＬ上では、各ＵＥ２０６は、空間的にプリコーディングされたデータストリームを送信し、これは、ｅＮＢ２０４が、各空間的にプリコーディングされたデータストリームのソースを識別することを可能にする。
【００４１】
[0052]  空間多重化は、一般に、チャネル条件が良好なとき使用される。チャネル条件があまり好ましくないとき、１つまたは複数の方向に送信エネルギーを集中させるためにビームフォーミングが使用され得る。これは、複数のアンテナを通じての送信のためにデータを空間的にプリコーディングすることによって、達成され得る。セルの端において良好なカバレッジを達成するために、単一ストリームのビームフォーミング送信が、送信ダイバーシティと組み合わせて使用され得る。
【００４２】
[0053]  以下に続く詳細な説明では、アクセスネットワークの様々な態様が、ＯＦＤＭをサポートするＭＩＭＯシステムを参照して説明されることになる。ＯＦＤＭは、ＯＦＤＭシンボル内のいくつかのサブキャリアを通してデータを変調する拡散スペクトル技法である。サブキャリアは、正確な周波数で間隔が空けられている。間隔を空けること（spacing）は、受信機がサブキャリアからデータを復元することを可能にする「直交性（orthogonality）」を提供する。時間領域では、ＯＦＤＭシンボル間干渉に対抗するために、各ＯＦＤＭシンボルにガードインターバル（例えば、サイクリックプレフィックス）が追加され得る。ＵＬは、高いピーク対平均電力比（ＰＡＰＲ：peak-to-average power ratio）を補償するために、ＤＦＴ拡散ＯＦＤＭ信号の形態でＳＣ−ＦＤＭＡを使用し得る。
【００４３】
[0054]  図３は、ＬＴＥにおけるＤＬフレーム構造の例を例示する図３００である。フレーム（１０ｍｓ）は、１０個の等しいサイズのサブフレームに分けられ得る。各サブフレームは、２つの連続するタイムスロットを含み得る。リソースグリッドは、２つのタイムスロットを表すために使用され得、各タイムスロットは、リソース要素ブロックを含む。リソースグリッドは、複数のリソース要素に分けられる。ＬＴＥでは、リソース要素ブロックは、周波数領域において１２個の連続するサブキャリアと、各ＯＦＤＭシンボルにおける通常のサイクリックプレフィックスについては、時間領域において７つの連続するＯＦＤＭシンボルとを含み得、すなわち、８４個のリソース要素を含み得る。拡張サイクリックプレフィックスでは、リソース要素ブロックは、時間領域において６つの連続するＯＦＤＭシンボルを含み得、７２個のリソース要素を含む。Ｒ３０２、３０４として示されるような、リソース要素のうちのいくつかは、ＤＬ基準信号（ＤＬ−ＲＳ）を含む。ＤＬ−ＲＳは、（共通ＲＳと呼ばれることもある）セル固有ＲＳ（ＣＲＳ）３０２及びＵＥ固有ＲＳ（ＵＥ−ＲＳ）３０４を含む。ＵＥ−ＲＳ３０４は、対応するＰＤＳＣＨがマッピングされるリソース要素ブロック上でのみ送信される。各リソース要素によって搬送されるビット数は、変調スキームに依存する。したがって、ＵＥが受信するリソース要素ブロックが多いほど、及び、変調スキームが高度であるほど、ＵＥのためのデータレートはより高くなる。
【００４４】
[0055]  図４は、ＬＴＥにおけるＵＬフレーム構造の例を例示する図４００である。ＵＬのための利用可能なリソース要素ブロックは、データセクションと制御セクションとに分割され得る。制御セクションは、システム帯域幅の２つの端において形成され得、設定可能なサイズを有し得る。制御セクションにおけるリソース要素ブロックは、制御情報の送信のためにＵＥに割り当てられ得る。データセクションは、制御セクションに含まれない全てのリソース要素ブロックを含み得る。ＵＬフレーム構造は、隣接するサブキャリアを含むデータセクションをもたらし、これは、単一のＵＥが、データセクションにおける隣接するサブキャリアの全てを割り当てられることを可能にし得る。
【００４５】
[0056]  ＵＥは、ｅＮＢに制御情報を送信するために、制御セクションにおけるリソース要素ブロック４１０ａ、４１０ｂを割り当てられ得る。ＵＥはまた、ｅＮＢにデータを送信するために、データセクションにおけるリソース要素ブロック４２０ａ、４２０ｂを割り当てられ得る。ＵＥは、制御セクションにおける割り当てられたリソース要素ブロック上の物理ＵＬ制御チャネル（ＰＵＣＣＨ）において、制御情報を送信し得る。ＵＥは、データセクションにおける割り当てられたリソース要素ブロック上の物理ＵＬ共有チャネル（ＰＵＳＣＨ）において、データのみ、またはデータと制御情報の両方を送信し得る。ＵＬ送信は、サブフレームの両方のスロットにまたがり得、周波数にわたってホッピングし得る。
【００４６】
[0057]  リソース要素ブロックのセットは、最初のシステムアクセスを実行し、物理ランダムアクセスチャネル（ＰＲＡＣＨ）４３０においてＵＬ同期を達成するために、使用され得る。ＰＲＡＣＨ４３０は、ランダムシーケンスを搬送し、いずれのＵＬデータ／シグナリングも搬送することができない。各ランダムアクセスプリアンブルは、６つの連続するリソース要素ブロックに対応する帯域幅を占有する。開始周波数は、ネットワークによって特定される。つまり、ランダムアクセスプリアンブルの送信は、ある時間及び周波数リソースに制限される。ＰＲＡＣＨに関して、周波数ホッピングはない。ＰＲＡＣＨの試みは、単一のサブフレーム（１ｍｓ）において、または少数の隣接したサブフレームのシーケンスにおいて搬送され、ＵＥは、１フレーム（１０ｍｓ）ごとに単一のＰＲＡＣＨの試みのみを行うことができる。
【００４７】
[0058]  図５は、ＬＴＥにおけるユーザ及び制御プレーンのための無線プロトコルアーキテクチャの例を例示する図５００である。ＵＥ及びｅＮＢのための無線プロトコルアーキテクチャは、レイヤ１、レイヤ２、及びレイヤ３の３つのレイヤで示される。レイヤ１（Ｌ１レイヤ）は、最下位レイヤであり、様々な物理レイヤ信号処理機能を実施する。Ｌ１レイヤは、ここでは物理レイヤ５０６と称される。レイヤ２（Ｌ２レイヤ）５０８は、物理レイヤ５０６より上位にあり、物理レイヤ５０６を通してＵＥとｅＮＢとの間のリンクを担う。
【００４８】
[0059]  ユーザプレーンでは、Ｌ２レイヤ５０８は、媒体アクセス制御（ＭＡＣ）サブレイヤ５１０、無線リンク制御（ＲＬＣ）サブレイヤ５１２、及びパケットデータコンバージェンスプロトコル（ＰＤＣＰ）５１４サブレイヤを含み、これらは、ネットワーク側のｅＮＢにおいて終端される。示されていないが、ＵＥは、ネットワーク側のＰＤＮゲートウェイ１１８において終端されるネットワークレイヤ（例えば、ＩＰレイヤ）と、接続の他端（例えば、遠端のＵＥ、サーバ等）において終端されるアプリケーションレイヤとを含む、Ｌ２レイヤ５０８より上位のいくつかの上位レイヤを有し得る。
【００４９】
[0060]  ＰＤＣＰサブレイヤ５１４は、異なる無線ベアラと論理チャネルとの間での多重化を提供する。ＰＤＣＰサブレイヤ５１４はまた、無線送信オーバヘッドを低減させるための上位レイヤデータパケットのためのヘッダ圧縮、データパケットを暗号化することによるセキュリティ、及びｅＮＢ間のＵＥのためのハンドオーバサポートを提供する。ＲＬＣサブレイヤ５１２は、上位レイヤデータパケットのセグメント化及びリアセンブリ、損失データパケットの再送信、及びハイブリッド自動再送要求（ＨＡＲＱ）による、順序の狂った受信を補償するためのデータパケットの並べ替え（reordering）を提供する。ＭＡＣサブレイヤ５１０は、論理チャネルとトランスポートチャネルとの間の多重化を提供する。ＭＡＣサブレイヤ５１０はまた、ＵＥの間で１つのセルにおける様々な無線リソース（例えば、リソース要素ブロック）を割り振ることを担う。ＭＡＣサブレイヤ５１０はまた、ＨＡＲＱ動作を担う。
【００５０】
[0061]  制御プレーンでは、ＵＥ及びｅＮＢのための無線プロトコルアーキテクチャは、制御プレーンのためのヘッダ圧縮機能がないことを除いて、物理レイヤ５０６及びＬ２レイヤ５０８に実質的に同じである。制御プレーンはまた、レイヤ３（Ｌ３レイヤ）における無線リソース制御（ＲＲＣ）サブレイヤ５１６を含む。ＲＲＣサブレイヤ５１６は、無線リソース（すなわち、無線ベアラ）を得ることと、ｅＮＢとＵＥとの間でＲＲＣシグナリングを使用して下位レイヤを構成することとを担う。
【００５１】
[0062]  図６は、アクセスネットワークにおいてＵＥ６５０と通信するｅＮＢ６１０のブロック図であり、そこにおいて、例えば、レガシＴＴＩに対して短縮されたＴＴＩを有するダウンリンクチャネル送信のグループ確認応答を提供するために本開示の態様が実践され得る。
【００５２】
[0063]  ＤＬでは、コアネットワークからの上位レイヤパケットは、コントローラ／プロセッサ６７５に提供される。コントローラ／プロセッサ６７５は、Ｌ２レイヤの機能を実施する。ＤＬでは、コントローラ／プロセッサ６７５は、様々な優先度メトリックに基づいて、ＵＥ６５０への無線リソース割り振り、論理チャネルとトランスポートチャネルとの間の多重化、パケットのセグメント化と並べ替え、暗号化、及びヘッダ圧縮を提供する。コントローラ／プロセッサ６７５はまた、ＨＡＲＱ動作、損失パケットの再送信、及びＵＥ６５０へのシグナリングを担う。コントローラ／プロセッサ６７５は、ｅＮＢ６１０の様々な動作（例えば、図９に関連して例示される動作）を指示／実行することができる。
【００５３】
[0064]  送信（ＴＸ）プロセッサ６１６は、Ｌ１レイヤ（すなわち、物理レイヤ）のための様々な信号処理機能を実施する。信号処理機能は、ＵＥ６５０における前方誤り訂正（ＦＥＣ）を容易にするようにコーディング及びインタリーブすることと、様々な変調スキーム（例えば、二位相シフトキーイング（ＢＰＳＫ）、直交位相シフトキーイング（ＱＰＳＫ）、Ｍ位相シフトキーイング（Ｍ−ＰＳＫ）、Ｍ値直交振幅変調（Ｍ−ＱＡＭ））に基づいて信号コンステレーションにマッピングすることとを含む。コーディング及び変調されたシンボルは、その後、並列ストリームへと分けられる（split）。各ストリームは、その後、ＯＦＤＭサブキャリアにマッピングされ、時間及び／または周波数領域において基準信号（例えば、パイロット）と多重化され、その後、逆高速フーリエ変換（ＩＦＦＴ）を使用して共に組み合わされて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、空間処理のためだけでなく、コーディング及び変調スキームを決定するために使用され得る。チャネル推定値は、ＵＥ６５０によって送信されたチャネル状態フィードバック及び／または基準信号から導出され得る。各空間ストリームは、その後、別個の送信機６１８ＴＸを介して異なるアンテナ６２０に提供される。各送信機６１８ＴＸは、送信のためにそれぞれの空間ストリームでＲＦキャリアを変調する。加えて、ｅＮＢ６１０は、本開示の態様に従って、いくつかのＵＥ６５０との制御情報とユーザデータの通信を促進するように構成されたアップリンクスケジューリングコンポーネント６０２を含み得る。
【００５４】
[0065]  ＵＥ６５０において、各受信機６５４ＲＸは、そのそれぞれのアンテナ６５２を通じて信号を受信する。各受信機６５４ＲＸは、ＲＦキャリア上に変調された情報を復元し、受信（ＲＸ）プロセッサ６５６にその情報を提供する。ＲＸプロセッサ６５６は、Ｌ１レイヤの様々な信号処理機能を実施する。ＲＸプロセッサ６５６は、ＵＥ６５０に宛てられた任意の空間ストリームを復元するために、その情報に対し空間処理を実行する。複数の空間ストリームがＵＥ６５０に宛てられている場合、それらは、ＲＸプロセッサ６５６によって単一のＯＦＤＭシンボルストリームに組み合わせられ得る。その後、ＲＸプロセッサ６５６は、高速フーリエ変換（ＦＦＴ）を使用して、ＯＦＤＭシンボルストリームを時間領域から周波数領域に変換する。周波数領域信号は、ＯＦＤＭ信号の各サブキャリアに対して別個のＯＦＤＭシンボルストリームを備える。各サブキャリア上のシンボル、及び基準信号は、ｅＮＢ６１０によって送信された最も可能性の高い信号コンステレーションポイントを決定することによって、復元及び復調される。これらの軟判定は、チャネル推定器６５８によって計算されたチャネル推定値に基づき得る。軟判定は、その後、物理チャネル上でｅＮＢ６１０により当初送信されたデータ及び制御信号を復元するために、復号及びデインターリーブされる。データ及び制御信号は、その後、コントローラ／プロセッサ６５９に提供される。
【００５５】
[0066]  コントローラ／プロセッサ６５９は、Ｌ２レイヤを実施する。コントローラ／プロセッサは、プログラムコード及びデータを記憶するメモリ６６０に関連付けられることができる。メモリ６６０は、コンピュータ読取可能な媒体と称され得る。ＵＬでは、コントローラ／プロセッサ６５９は、コアネットワークからの上位レイヤパケットを復元するために、トランスポートチャネルと論理チャネルとの間の逆多重化（demultiplexing）、パケットのリアセンブリ、暗号解読（deciphering）、ヘッダの解凍（decompression）、制御信号処理を提供する。上位レイヤパケットは、その後、データシンク６６２に提供され、それは、Ｌ２レイヤより上位の全てのプロトコルレイヤを表す。様々な制御信号はまた、Ｌ３処理のためにデータシンク６６２に提供され得る。コントローラ／プロセッサ６５９はまた、ＨＡＲＱ動作をサポートするために、肯定応答（ＡＣＫ）及び／または否定応答（ＮＡＣＫ）プロトコルを使用して誤り検出を担う。コントローラ／プロセッサ６５９は、ＵＥ６５０の様々な動作（例えば、図８に関連して例示された動作）を指示／実行することができる。加えて、ＵＥ６５０は、本開示の態様のデータ構造を使用して、受信、復号、及び動作するように構成されたアップリンク送信機コンポーネント６６１を含み得る。
【００５６】
[0067]  ＵＬでは、データソース６６７が、コントローラ／プロセッサ６５９に上位レイヤパケットを提供するために使用される。データソース６６７は、Ｌ２レイヤより上位の全てのプロトコルレイヤを表す。ｅＮＢ６１０によるＤＬ送信に関連して説明された機能と同様、コントローラ／プロセッサ６５９は、ｅＮＢ６１０による無線リソース割り振りに基づいて、論理チャネルとトランスポートチャネルとの間の多重化、パケットセグメント化と並べ替え、暗号化、及びヘッダ圧縮を提供することによって、ユーザプレーン及び制御プレーンのためのＬ２レイヤを実施する。コントローラ／プロセッサ６５９はまた、ＨＡＲＱ動作、損失パケットの再送信、ｅＮＢ６１０へのシグナリングを担う。
【００５７】
[0068]  ｅＮＢ６１０によって送信されたフィードバックまたは基準信号からチャネル推定器６５８によって導出されたチャネル推定値は、適したコーディング及び変調スキームを選択し、空間処理を容易にするために、ＴＸプロセッサ６６８によって使用され得る。ＴＸプロセッサ６６８によって生成された空間ストリームは、別個の送信機６５４ＴＸを介して異なるアンテナ６５２に提供される。各送信機６５４ＴＸは、送信のためにそれぞれの空間ストリームでＲＦキャリアを変調する。
【００５８】
[0069]  ＵＬ送信は、ＵＥ６５０における受信機機能に関連して説明されたのと同様の方法でｅＮＢ６１０において処理される。各受信機６１８ＲＸは、そのそれぞれのアンテナ６２０を通じて信号を受信する。各受信機６１８ＲＸは、ＲＦキャリア上に変調された情報を復元し、ＲＸプロセッサ６７０にその情報を提供する。ＲＸプロセッサ６７０は、Ｌ１レイヤを実施し得る。
【００５９】
[0070]  コントローラ／プロセッサ６７５は、Ｌ２レイヤを実施する。コントローラ／プロセッサ６７５は、プログラムコード及びデータを記憶するメモリ６７６に関連付けられることができる。メモリ６７６は、コンピュータ読取可能な媒体と称され得る。ＵＬでは、コントロール／プロセッサ６７５は、ＵＥ６５０からの上位レイヤパケットを復元するために、トランスポートチャネルと論理チャネルとの間の逆多重化、パケットのリアセンブリ、暗号解読、ヘッダの解凍、制御信号処理を提供する。コントローラ／プロセッサ６７５からの上位レイヤパケットは、コアネットワークに提供され得る。コントローラ／プロセッサ６７５はまた、ＨＡＲＱ動作をサポートするために、ＡＣＫ及び／またはＮＡＣＫプロトコルを使用して誤り検出を担う。
【００６０】
[0071]  低レイテンシ通信は、レガシＴＴＩに比べて短縮された送信時間間隔（ＴＴＩ）の使用によって可能になり得る。例えば、いくつかのケースでは、０．５ｍｓ以下のＴＴＩは、サブフレームよりむしろタイムスロット（例えば、ここで、１つのＬＴＥサブフレームは、各々０．５ｍｓの２つのタイムスロットを含む）に基づく、またはシンボル期間にさえ基づく物理ダウンリンク制御チャネル（ＰＤＣＣＨ）、強化されたＰＤＣＣＨ（ｅＰＤＣＣＨ）、ＰＤＳＣＨ、ＰＵＣＣＨ、ＰＵＳＣＨに基づいて、低レイテンシ（ＬＬ：low latency）チャネルのために使用され得る。
【００６１】
[0072]  いくつかのケースでは、低レイテンシ（または、超低レイテンシ（ＵＬＬ：ultra-low latency））システムは、既存のシステムに比べてあるレベルの性能を目標にし得る。例えば、そのようなシステムは、４ｍｓレイテンシから３００ｕｓ以下への短縮のような、１０倍（１０ｘ）までの無線（over-the-air）のレイテンシにおける短縮を目標にし得る。
【００６２】
[0073]  いくつかのケースでは、最小仕様及び実施インパクトも、下位互換性も可能にするためにＬＴＥ数秘学（numerology）のような、既存のメカニズムを再利用することは望ましいことであり得る。例えば、低レイテンシシステムは、レガシシステムと同じ１５ｋＨｚトーン間隔及びシンボル持続時間（通常のサイクリックプレフィックスでは約７１μｓ（〜 71μｓ）、または拡張サイクリックプレフィックスでは約８３μｓ（〜 83μｓ））を維持し得る。これは、ＬＬ  ＵＥ及びレガシ１ｍｓベースのＬＴＥ  ＵＥの円滑な統合を可能にし得る。例えば、ＬＬ  ＵＥ及びレガシ１ｍｓベースのＬＴＥ  ＵＥは、ＲＢレベル多重化を介して同じサブフレームに共存し得る。
【００６３】
[0074]  図７は、低レイテンシ送信ＴＴＩが、持続時間において１つのシンボルであり得る、そのようなシステムの例を例示する。通常のＣＰでは、このＴＴＩ値（約７１μｓ（〜 71μｓ））は、レガシシステムと比較して、ＨＡＲＱターンアラウンドタイムにおける１４倍のレイテンシ短縮を表す。言い換えると、（例えば、ｕＰＤＣＣＨまたはｕＰＤＳＣＨとラベルの付いた）超低レイテンシダウンリンク送信は、（例えば、ｕＰＵＣＣＨ、またはｕＰＵＳＣＨとラベルの付いた）超低レイテンシアップリンク送信を介して、４シンボル後に確認応答され、必要ならば、それから４シンボル後に再送信され得る（その結果、現在のＬＴＥの４ｍｓのＨＡＲＱレイテンシと比較して約３００μｓ（〜 300μｓ）のＨＡＲＱレイテンシをもたらす）。例えば、例示されているように、ｅＮＢは、シンボル０においてダウンリンク送信を実行し得、それは、シンボル４においてＵＥによって確認応答され得る。その後、必要ならば、ダウンリンク送信は、シンボル８において再送信され得る。拡張ＣＰでは、このＴＴＩ値（約８３μｓ（〜 83μｓ））は、レガシシステムと比較して、ＨＡＲＱターンアラウンドタイムにおける１２倍のレイテンシ短縮を依然として表し得る。
【００６４】
[0075]  いくつかのケースでは、ダウンリンク送信（例えば、クイックダウンリンク送信）を確認応答するために、１シンボルまたは２シンボルのアップリンクチャネル送信のような、より短いＴＴＩを使用することは、好ましくないチャネル条件下のＵＥにとって、不可能であり得るか、とても困難であり得る。これは、これらのＵＥがアップリンクリンクバジェット制限（uplink link budget limitations）の影響下にあり得るからである。例えば、より短いＴＴＩは、電力制限条件を経験せずに、あるペイロードサイズを運ぶことをより難しくする。
【００６５】
[0076]  この問題を解決するための１つの可能な方法は、アップリンク制御情報（ＵＣＩ）送信のためにより長いＴＴＩを使用し、グループ確認応答で低レイテンシダウンリンク送信を確認応答することであり得、これは、多くのケースで、適切であり得る。これはまた、ＵＬ  ＨＡＲＱ確認応答が必要とされるとき、ＤＬ  ＵＬＬ通信の範囲を効果的に増加することができる。つまり、ＵＬ  ＨＡＲＱ確認応答が、ＤＬ  ＵＬＬ通信に必要である場合、より短いＴＴＩが不可能であるとき、または電力制限条件を経験せずに対応するＨＡＲＱフィードバックを搬送することが非効率的であるとき、ＵＥは、より長いＴＴＩでの対応するＨＡＲＱフィードバックを依然として提供し得る。
【００６６】
[0077]  例えば、ＨＡＲＱの終了目標が、比較的低い（例えば、最初の送信の後９９％を目標にする）場合、ＨＡＲＱへの必要性が、それ程強くはない。そのようなケースでは、パケットの約１パーセントのみが再送信を必要とし得る。１つのスロットまたはサブフレームにおけるＵＥのための連続するＵＬＬ送信を考慮すれば、独立した誤り確率を仮定して、再送信の確率は、（１−０．９９＾７）＝６．８％（１スロットごとに７シンボル）、または（１−０．９９＾１４）＝１３．１％（１サブフレームごとに１４シンボル）であり得る。いくつかのＵＬＬ送信が連続していない場合、再送信の確率は、さらに小さくなり得る。ブロック誤り確率が相関している場合、再送信の確率は、（例えば、１００％の相関を仮定して）より小さくなることができ、１スロットまたは１サブフレームのＵＬＬ送信において１つの誤りを有する確率は、１％である。
【００６７】
[0078]  したがって、本開示の態様は、より大きいＴＴＩ（例えば、タイムスロット、またはサブフレーム持続時間）を使用して送られる単一のアップリンク送信において、短縮されたＴＴＩ（例えば、持続時間における１つまたは２つのシンボル）を使用して送られる複数のダウンリンク送信に対するグループ確認応答を提供するための技法を提供する。
【００６８】
[0079]  図８は、本開示の態様に従った、低レイテンシワイヤレス通信のための例となる動作８００を例示する。動作８００は、例えば、短縮されたＴＴＩをサポートすることができるユーザ機器（ＵＥ）（例えば、ＵＥ１１５、２０６、または６５０のうちの１つまたは複数）によって実行され得る。
【００６９】
[0080]  動作８００は、８０２において、基地局から、複数のダウンリンクチャネル送信を受信することで始まり、ここで、ダウンリンクチャネル送信の各々は、レガシ送信時間間隔（ＴＴＩ）に比べて短縮された第１のＴＴＩを使用して送られる。８０４において、ＵＥは、第１のＴＴＩより大きい第２のＴＴＩを使用して送られる単一のアップリンクチャネル送信において、ダウンリンクチャネル送信が、ＵＥによって成功して受信されたか否かを示すグループ確認応答を提供する。
【００７０】
[0081]  図９は、本開示の態様に従った、低レイテンシワイヤレス通信のための例となる動作９００を例示する。例えば、動作９００は、短縮されたＴＴＩをサポートし、図８に示される動作８００を実行するＵＥに送信することが可能である基地局（例えば、ｅＮＢ１０５、２０４、または６１０のうちの１つまたは複数）によって実行され得る。
【００７１】
[0082]  動作９００は、９０２において、ユーザ機器（ＵＥ）に、複数のダウンリンクチャネル送信を送ることで始まり、ここで、ダウンリンクチャネル送信の各々は、レガシ送信時間間隔（ＴＴＩ）に比べて短縮された第１のＴＴＩを使用して送られる。９０４において、基地局は、第１のＴＴＩより大きい第２のＴＴＩを使用して送られる単一のアップリンクチャネル送信において、ダウンリンクチャネル送信が、ＵＥによって成功して受信されたか否かを示すグループ確認応答を受信する。
【００７２】
[0083]  ある態様に従って、上記の動作において参照された確認応答は、ダウンリンク低レイテンシ送信を確認応答するためのハイブリッド自動再送要求（ＨＡＲＱ）処理に対応し得る。さらに、ある態様に従って、１スロットまたは１サブフレームベースの物理アップリンク制御チャネル（ＰＵＣＣＨ）は、複数のダウンリンク低レイテンシ送信に対するＨＡＲＱを扱うために使用され得る。
【００７３】
[0084]  いくつかのケースでは、ある条件（例えば、チャネル条件）に基づいて、ＵＥは、非ＬＬ  ＰＵＣＣＨまたはＬＬ  ｕＰＵＣＣＨのどちらかを使用するように構成され得る。例えば、悪いチャネル条件におけるＵＥでは、１サブフレームベースのＰＵＣＣＨは、ＤＬ  ＬＬ送信に対するＨＡＲＱフィードバックを提供するために使用され得、良好なチャネル条件におけるＵＥでは、１シンボルまたは２シンボルベースのｕＰＵＣＣＨ（例えば、ＴＴＩは、１つのシンボルまたは２つのシンボルに等しい）は、ＤＬ  ＬＬ送信に対するＨＡＲＱフィードバックを提供するために使用されることができる。ある態様に従って、チャネル条件は、ＵＥからの測定報告（例えば、ＲＳＲＰ測定またはＣＳＩ（チャネル状態情報）報告）に基づいて決定され得、基地局は、グループ確認応答、確認応答のための「クイック」アップリンクチャネル、または、その両方をいずれにせよ使用するように、ＵＥを構成し得る。
【００７４】
[0085]  ある態様に従って、（例えば、タイムスロットまたはサブフレームベースのＴＴＩを有する）ＰＵＣＣＨ送信において送られる各グループ確認応答は、（１つまたは２つのシンボルＴＴＩを有する）複数のＤＬ  ＬＬ送信を扱うために使用され得る。グループＡＣＫを受信するｅＮＢは、グループＡＣＫを使用して、（ＲＲＣベースの再送信より速い）「クイック」再送信を実行し得る。
【００７５】
[0086]  図１０は、本開示のある態様に従った、（１スロットＴＴＩを使用する）ＰＵＣＣＨ  ＨＡＲＱ送信へのスロットベースのアプローチを例示する。例示されているように、ＤＬ上で、ｅＮＢは、１シンボルＴＴＩを使用して、サブフレームＳＦｎの第１のスロット（例えば、シンボル０−６）の間に、複数のＬＬ送信を送り得る。ＵＥは、複数のＤＬ  ＬＬ送信を受信し得、例えば、１スロットＴＴＩを使用して、サブフレームＳＦｎ＋１の第１のスロットＳ１において、アップリンク送信（例えば、ＰＵＣＣＨ）でグループ確認応答を送信し得る。ｅＮＢは、グループ確認応答を受信し得、例えば、グループ確認応答における否定応答に基づいて、サブフレームＳＦｎ＋２の第１のスロットＳ１において（ＵＥによって受信され得る）ＤＬ  ＬＬ送信を再送信することを決め得る。したがって、例示されたスロットベースのＰＵＣＣＨは、（約５７０μｓ（〜 570μｓ）に対して）２ｍｓのＨＡＲＱ  ＲＴＴをもたらし得る。
【００７６】
[0087]  図１１は、本開示のある態様に従った、ＰＵＣＣＨ  ＨＡＲＱ送信へのサブフレームベースのアプローチを例示する。例えば、ＤＬ上で、ｅＮＢは、例えば、１シンボルＴＴＩを使用して、サブフレームＳＦｎの間に、ＱＰＤＣＣＨまたはＱＰＤＳＣＨ上で複数のＬＬ送信を行い得る。ＵＥは、複数のＤＬ  ＬＬ送信を受信し得、１サブフレームＴＴＩを使用して、サブフレームＳＦｎ＋２において、グループ確認応答を送信し得る。ｅＮＢは、グループ確認応答を受信し得、サブフレームＳＦｎ＋４においてＬＬ送信を再送信することを決め得る。例示されるように、このサブフレームベースのＰＵＣＣＨは、４ｍｓのＨＡＲＱ  ＲＴＴをもたらし得る。
【００７７】
[0088]  図１２は、本開示のある態様に従った、ハイブリッドアプローチとみなされ得る別のサブフレームベースのアプローチを例示する。例示されるように、ＤＬ上で、ｅＮＢは、１シンボルＴＴＩを使用して、サブフレームＳＦｎのスロットＳ２及びサブフレームＳＦｎ＋１のスロットＳ１の間に、複数のＬＬ送信を行い得る。ＵＥは、複数のＤＬ  ＬＬ送信を受信し得、１サブフレームＴＴＩを使用して、サブフレームＳＦｎ＋２においてグループ確認応答を送信し得る。同様に（示されていないが）、ＵＥは、ＳＦｎで送られたＤＬ  ＬＬ送信を確認応答するために、サブフレームＳＦｎ＋１のスロットＳ２及びサブフレームＳＦｎ＋２のスロット１においてＰＵＣＣＨを使用し得る。別の例として（示されてないが）、０．５ｍｓオフセットの代わりに、他のオフセット値がまた可能であり得る。例えば、ｅＮＢは、１シンボルＴＴＩを使用して、サブフレームＳＦｎのスロットＳ１の最後の２つのシンボル及びスロットＳ２の全てのシンボル、並びにサブフレームＳＦｎ＋１のスロットＳ１の最初の２つのシンボルの間に、複数のＬＬ送信を行い得る。ＵＥは、複数のＤＬ  ＬＬ送信を受信し得、１サブフレームＴＴＩを使用して、サブフレームＳＦｎ＋２において、グループ確認応答を送信し得る。これは、対応するＨＡＲＱフィードバックを提供する準備ができる前に、ＵＥがＤＬ  ＬＬ送信を処理するためにより長い持続時間を残すこととなる。いずれのケースにおいても、例示されるように、サブフレームベースのＰＵＣＣＨは、４ｍｓより少ない（例えば、３ｍｓ）ＨＡＲＱ  ＲＴＴをもたらし得る。
【００７８】
[0089]  ある態様では、複数のＬＬ送信は、１つまたは複数のＤＬキャリアから起こり得、一方、対応するＰＵＣＣＨは、単一のアップリンクキャリアから起こり得る。例として、ＵＥは、キャリアアグリゲーションまたはデュアルコネクティビティ（dual-connectivity）動作で構成され得、ここで、複数のキャリアが、アグリゲートされ得る。ＤＬ  ＬＬ送信は、複数のキャリアのうちの２つ以上で可能になり得、一方、ＰＵＣＣＨは、複数のキャリアのうちの１つでのみ可能になる。ＰＵＣＣＨキャリアは、プライマリキャリアまたはプライマリ第２キャリア（a primary second carrier）であり得る。
【００７９】
[0090]  ある態様では、ＤＬ  ＬＬ送信に対するＨＡＲＱフィードバックのためにＰＵＣＣＨまたはｕＰＵＣＣＨの使用を可能にすることは、半静的シグナリング（例えば、ＲＲＣ構成）または動的シグナリングに基づき得る。例として、ｅＮＢは、ＤＬ  ＬＬ送信に対するＨＡＲＱフィードバックのためにＰＵＣＣＨが使用されるべきかｕＰＵＣＣＨが使用されるべきかのインジケーションをダウンリンク制御チャネルにおいて、ＵＥに提供し得る。つまり、ｅＮＢは、１つまたは複数のダウンリンク送信を確認応答するために、（例えば、ＰＵＣＣＨを使用して）グループ確認応答を使用するか、（例えば、ｕＰＵＣＣＨを使用して）個々の確認応答を使用するかのインジケーションをＵＥに提供し得る。いくつかのケースでは、上記で説明したように、この確認応答は、ＵＥからの測定報告（例えば、ＲＳＲＰ測定またはＣＳＩ報告）に基づき得る。
【００８０】
[0091]  ある態様では、ＤＬ  ＬＬ送信に対するいくつかのＨＡＲＱ処理は、ＤＬ  ＬＬに対するＨＡＲＱフィードバックのためにＰＵＣＣＨが使用されるかｕＰＵＣＣＨが使用されるかから独立し得る。代替的に、ＤＬ  ＬＬ送信に対するいくつかのＨＡＲＱ処理は、ＤＬ  ＬＬ送信に対するＨＡＲＱフィードバックのためにＰＵＣＣＨが使用されるかｕＰＵＣＣＨが使用されるかに依存し得る。例として、（例えば、個々の確認応答を搬送するために使用され得る）ｕＰＵＣＣＨが、ＨＡＲＱフィードバックに使用される場合のＤＬ  ＬＬ送信に対するいくつかのＨＡＲＱ処理と比較して、（例えば、グループ確認応答を搬送するために使用され得る）ＰＵＣＣＨが、ＨＡＲＱフィードバックのために使用される場合、ＤＬ  ＬＬ送信に対するより多くの数のＨＡＲＱ処理が、（例えば、ＵＥによって）決定され得る。
【００８１】
[0092]  １つの態様では、複数のＤＬ  ＬＬ送信に対するグループ確認応答は、ＤＬ  ＬＬ送信の同じＨＡＲＱ処理に関する１つまたは複数の送信に対するＨＡＲＱフィードバックを備え得る。例として、合計８つのＨＡＲＱ処理は、キャリア上でＤＬ  ＬＬ送信に関して識別され得る。グループ確認応答は、６つのＨＡＲＱ処理についての２つの送信、及び残りの２つのＨＡＲＱ処理の１つの送信に対応する、１４個の確認応答から成り得る。
【００８２】
[0093]  １つの態様では、ＵＥは、全ソフトバッファサイズ（total soft buffer size）を有し得る。キャリアでは、全ソフトバッファサイズは、いくつかの部分に分割され得る。例として、分割は、８つのＨＡＲＱ処理の仮定に基づき得、その結果として、８つの部分があり得る。グループ確認応答下では、時間内のＨＡＲＱフィードバック（in-time HARQ feedback）無しのＤＬ  ＬＬ送信の数は、ソフトバッファ部分の数より著しく大きくあり得る。ソフトバッファの利用可能な部分に、様々なＨＡＲＱ処理及び同じＨＡＲＱ処理の様々な送信のソフト復号ビット（soft decoding bits）をいかに記憶するかを実施するのは、ＵＥ次第であることができる。ソフト復号ビットの記憶が、各ＤＬ  ＬＬ送信に関連付けられたいくつかのパラメータに依存することができることもまた特定され得る。例として、より早いＤＬ  ＬＬ送信は、より低い優先度を有し得る。別の例として、より高いＭＣＳでのＤＬ  ＬＬ送信は、より高い優先度を有し得る。
【００８３】
[0094]  上述された方法のさまざまな動作は、対応する機能を実行することができる任意の適切な手段によって実行され得る。手段は、回路、特定用途向け集積回路（ＡＳＩＣ）、またはプロセッサを含むがそれらに限定されない、様々なハードウェア及び／またはソフトウェアコンポーネント（１つまたは複数）及び／またはモジュール（１つまたは複数）を含み得る。一般に、図に例示された動作がある場合、それらの動作は、任意の適切な対応するカウンターパートのミーンズ・プラス・ファンクション・コンポーネントによって実行され得る。
【００８４】
[0095]  ある態様に従って、そのような手段は、上述された（例えば、ハードウェアにおいて、またはソフトウェア命令を実行することによって）様々なアルゴリズムを実施することによって対応する機能を実行するように構成された処理システムによって実施され得る。
【００８５】
[0096]  例えば、決定するための手段、提供するための手段、送るための手段、（再）送信するための手段、及び受信するための手段は、図６に例示されたｅＮＢ６１０またはＵＥ６５０の、送信機／受信機（例えば、トランシーバＴＸ／ＲＸ６１８、６５４）、アンテナ（１つまたは複数）６２０、６５２、または１つまたは複数のプロセッサ（例えば、ＲＸプロセッサ６５６、６７０、コントローラ／プロセッサ６５９、６７５、及び／またはＴＸプロセッサ６１６、６６８）のうちの１つまたは複数を備え得る。
【００８６】
[0097]  開示された処理におけるステップの特定の順序または階層は、例となるアプローチの例であることが理解される。設計の選好に基づいて、処理におけるステップの特定の順序または階層は、本開示の範囲内にとどまりながら、再配置され得ることが理解される。添付の方法請求項は、サンプルの順序において、様々なステップの要素を表し、表された特定の順序または階層に限定されるようには意図されない。
【００８７】
[0098]  当業者は、情報及び信号が、様々な異なる技術及び技法のうちの何れかを使用して表され得ることを理解するだろう。例えば、上記説明の全体にわたって参照され得るデータ、命令、コマンド、情報、信号、ビット、シンボル、及びチップは、電圧、電流、電磁波、磁場もしくは磁性粒子、光場もしくは光粒子、またはこれらの組み合わせによって表され得る。当業者はさらに、ここでの開示に関連して説明される様々な例示的な論理ブロック、モジュール、回路、及びアルゴリズムステップは、ハードウェア、ソフトウェア、またはそれらの組み合わせとして実施され得ることを認識するだろう。ハードウェア及びソフトウェアのこの互換性を明確に例示するために、様々な例示的なコンポーネント、ブロック、モジュール、回路、及びステップが、それらの機能の観点から一般的に上述されている。このような機能が、ハードウェアとして実施されるか、ソフトウェアとして実施されるかは、特定の適用例及びシステム全体に課せられる設計制約に依存する。当業者は、各特定の適用例に対して様々な方法で説明された機能を実施し得るが、このような実装の決定は、本開示の範囲からの逸脱を引き起こしていると解釈されるべきでない。ここでの開示に関連して説明された様々な例示的な論理ブロック、モジュール、及び回路は、ここに説明された機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、離散ゲートもしくはトランジスタ論理、離散ハードウェアコンポーネント、またはこれらの任意の組み合わせで、実施または実行され得る。汎用プロセッサは、マイクロプロセッサであり得るが、代替において、プロセッサは、任意の従来のプロセッサ、コントローラ、マイクロコントローラ、またはステートマシンであり得る。プロセッサはまた、例えば、ＤＳＰ及びマイクロプロセッサの組み合わせ、複数のマイクロプロセッサ、ＤＳＰコアと連結した１つまたは複数のマイクロプロセッサ、または任意の他のそのような構成のような、コンピューティングデバイスの組み合わせとして実施され得る。
【００８８】
[0099]  ここでの開示に関連して説明されたアルゴリズムまたは方法のステップは、直接的にハードウェアで、プロセッサによって実行されるソフトウェアモジュールで、またはそれらの組み合わせで具現化され得る。ソフトウェアモジュールは、ＲＡＭメモリ、フラッシュメモリ、ＰＣＭ（相変化メモリ）、ＲＯＭメモリ、ＥＰＲＯＭメモリ、ＥＥＰＲＯＭメモリ、レジスタ、ハードディスク、リムーバブルディスク、ＣＤ−ＲＯＭ、または当該技術で知られている任意の他の形態の記憶媒体中に存在し得る。例となる記憶媒体は、プロセッサが記憶媒体から情報を読み取り、及び記憶媒体に情報を書き込むことができるように、プロセッサに結合される。代替において、記憶媒体はプロセッサに統合され得る。プロセッサ及び記憶媒体はＡＳＩＣ内に存在し得る。ＡＳＩＣは、ユーザ端末内に存在し得る。代替において、プロセッサ及び記憶媒体は、ユーザ端末内の離散コンポーネントとして存在し得る。
【００８９】
[0100]  １つまたは複数の例となる設計では、説明した機能は、ハードウェア、ソフトウェア、またはそれらの組み合わせで実施され得る。ソフトウェアで実施される場合、機能は、コンピュータ読取可能な媒体上の１つまたは複数の命令またはコードとして記憶または送信され得る。コンピュータ読取可能な媒体は、１つの場所から別の場所へのコンピュータプログラムの転送を容易にする任意の媒体を含むコンピュータ通信媒体と、コンピュータ記憶媒体の両方を含む。記憶媒体は、汎用または専用コンピュータによってアクセスされることができる任意の利用可能な媒体であり得る。限定ではなく例として、そのようなコンピュータ読取可能な媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または、命令もしくはデータ構造の形態で所望のプログラムコード手段を搬送または記憶するために使用されることができ、かつ、汎用もしくは専用コンピュータまたは汎用もしくは専用プロセッサによってアクセスされることができる、任意の他の媒体を備えることができる。また、任意の接続は、厳密にはコンピュータ読取可能な媒体と呼ばれる。例えば、ソフトウェアが、同軸ケーブル、光ファイバーケーブル、ツイストペア、デジタル加入者回線（ＤＳＬ）、または赤外線、無線、及びマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、及びマイクロ波のようなワイヤレス技術は、媒体の定義に含まれる。ここで使用されるように、ディスク（disk）及びディスク（disc）は、コンパクトディスク（ＣＤ）、レーザーディスク、光学ディスク、デジタル多用途ディスク（ＤＶＤ）、フロッピーディスク、及びブルーレイディスクを含み、ここでディスク（disk）は、通例、データを磁気的に再生し、一方、ディスク（disc）は、レーザーを用いてデータを光学的に再生する。したがって、いくつかの態様では、コンピュータ読取可能な媒体は、非一時的なコンピュータ読取可能な媒体（例えば、有形的媒体）を備え得る。加えて、他の態様では、コンピュータ読取可能な媒体は、一時的なコンピュータ読取可能な媒体（例えば、信号）を備え得る。上記の組み合わせもまた、コンピュータ読取可能な媒体の範囲内に含まれるべきである。
【００９０】
[0101]  ここで使用されるように、アイテムのリスト「のうちの少なくとも１つ」というフレーズは、単一の構成要素（members）を含む、それらのアイテムの任意の組み合わせを指す。例として、「ａ、ｂ、またはｃのうちの少なくとも１つ」は、ａ、ｂ、ｃ、ａ−ｂ、ａ−ｃ、ｂ−ｃ、ａ−ｂ−ｃ、及び任意の数のａ、ｂ、またはｃの任意の組み合わせをカバーするように意図される。
【００９１】
[0102]  本開示の先の説明は、いかなる当業者にも本開示を行うまたは使用することを可能にするように提供される。本開示に対する様々な修正は、当業者に容易に明らかであり、ここで定義されている包括的な原理は、本開示の精神または範囲から逸脱せずに、他のバリエーションに適用され得る。したがって、本開示は、ここで説明された例及び設計に限定されるように意図されたものではなく、ここで開示された原理及び新規な特徴と一致する最も広い範囲が付与されるべきである。
【図１】
2020174354.tif 000003
【図２】
2020174354.tif 000004
【図３】
2020174354.tif 000005
【図４】
2020174354.tif 000006
【図５】
2020174354.tif 000007
【図６】
2020174354.tif 000008
【図７】
2020174354.tif 000009
【図８】
2020174354.tif 000010
【図９】
2020174354.tif 000011
【図１０】
2020174354.tif 000012
【図１１】
2020174354.tif 000013
【図１２】
2020174354.tif 000014
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための装置であって、
少なくとも１つのプロセッサと、
前記少なくとも１つのプロセッサに結合されたメモリと
を備え、前記メモリは、
基地局から複数のダウンリンクチャネル送信を受信することと、ここにおいて、前記ダウンリンクチャネル送信の各々は、レガシ送信時間間隔（ＴＴＩ）に比べて短縮された第１のＴＴＩを使用して送られ、
前記第１のＴＴＩより大きい第２のＴＴＩを使用して送られる単一のアップリンクチャネル送信において、前記ダウンリンクチャネル送信が前記ＵＥによって成功して受信されたか否かを示すグループ確認応答を提供することと
を前記ＵＥに行わせるために前記少なくとも１つのプロセッサによって実行可能な命令を備える、
装置。
【請求項２】
前記レガシＴＴＩは、サブフレーム持続時間に対応する持続時間を有し、
前記第２のＴＴＩは、サブフレームより少ない持続時間に対応する持続時間を有する、
請求項１に記載の装置。
【請求項３】
前記第１のＴＴＩは、シンボル持続時間に対応する持続時間を有する、請求項1に記載の装置。
【請求項４】
前記グループ確認応答は、１つまたは複数のサブフレームの複数のタイムスロットにおいて送られるダウンリンクチャネル送信を確認応答するために使用される、請求項１に記載の装置。
【請求項５】
前記グループ確認応答は、第１のサブフレームの第２のタイムスロット及び第２のサブフレームの第１のタイムスロットにおいて送られるダウンリンクチャネル送信を確認応答するために使用される、請求項１に記載の装置。
【請求項６】
前記メモリは、ダウンリンクチャネル送信に対して前記グループ確認応答または個々の確認応答を使用するためのインジケーションを受信することを前記ＵＥに行わせるために前記少なくとも１つのプロセッサによって実行可能な命令をさらに備える、請求項１に記載の装置。
【請求項７】
前記インジケーションは、半静的シグナリングまたは動的シグナリングのうちの少なくとも１つである、請求項６に記載の装置。
【請求項８】
前記インジケーションは、チャネル状態情報（ＣＳＩ）または基準信号受信電力（ＲＳＲＰ）測定のうちの少なくとも１つに基づく、請求項７に記載の装置。
【請求項９】
前記メモリは、前記グループ確認応答において否定的に確認応答されたダウンリンクチャネル送信の再送信を受信することを前記ＵＥに行わせるために前記少なくとも１つのプロセッサによって実行可能な命令をさらに備える、請求項１に記載の装置。
【請求項１０】
前記第２のＴＴＩは、前記レガシＴＴＩと同じである、請求項１に記載の装置。
【請求項１１】
前記ダウンリンクチャネル送信は、前記ＵＥのために構成された１つまたは複数のキャリア上で送信される、請求項１に記載の装置。
【請求項１２】
前記単一のアップリンクチャネル送信は、前記ＵＥのために構成されたプライマリセルまたはプライマリ第２セルのうちの少なくとも１つから送信される、請求項１に記載の装置。
【請求項１３】
前記メモリは、
個々の確認応答がダウンリンクチャネル送信に対して使用される場合、第１の数のＨＡＲＱ処理を決定することと、
グループ確認応答がダウンリンクチャネル送信に対して使用される場合、第２の数のＨＡＲＱ処理を決定することと
を前記ＵＥに行わせるために前記少なくとも１つのプロセッサによって実行可能な命令をさらに備える、請求項１に記載の装置。
【請求項１４】
前記複数のダウンリンクチャネル送信のうちの少なくとも２つは、同じＨＡＲＱ処理に関連付けられる、請求項１に記載の装置。
【請求項１５】
基地局によるワイヤレス通信のための装置であって、
少なくとも１つのプロセッサと、
前記少なくとも１つのプロセッサに結合されたメモリと
を備え、前記メモリは、
ユーザ機器（ＵＥ）に、複数のダウンリンクチャネル送信を送ることと、ここにおいて、前記ダウンリンクチャネル送信の各々は、レガシ送信時間間隔（ＴＴＩ）に比べて短縮された第１のＴＴＩを使用して送られ、
前記第１のＴＴＩより大きい第２のＴＴＩを使用して送られる単一のアップリンクチャネル送信において、前記ダウンリンクチャネル送信が前記ＵＥによって成功して受信されたか否かを示すグループ確認応答を受信することと
を前記基地局に行わせるために前記少なくとも１つのプロセッサによって実行可能な命令を備える、
装置。
【請求項１６】
前記レガシＴＴＩは、サブフレーム持続時間に対応する持続時間を有し、
前記第２のＴＴＩは、サブフレームより少ない持続時間に対応する持続時間を有する、
請求項１５に記載の装置。
【請求項１７】
前記第１のＴＴＩは、シンボル持続時間に対応する持続時間を有する、請求項１６に記載の装置。
【請求項１８】
前記グループ確認応答は、１つまたは複数のサブフレームの複数のタイムスロットにおいて送られるダウンリンクチャネル送信を確認応答するために使用される、請求項１５に記載の装置。
【請求項１９】
前記グループ確認応答は、第１のサブフレームの第２のタイムスロット及び第２のサブフレームの第１のタイムスロットにおいて送られるダウンリンクチャネル送信を確認応答するために使用される、請求項１５に記載の装置。
【請求項２０】
前記メモリは、ダウンリンクチャネル送信に対して前記グループ確認応答または個々の確認応答を使用するためのインジケーションを送信することを前記基地局に行わせるために前記少なくとも１つのプロセッサによって実行可能な命令をさらに備える、請求項１５に記載の装置。
【請求項２１】
前記インジケーションは、半静的シグナリングまたは動的シグナリングのうちの少なくとも１つである、請求項２０に記載の装置。
【請求項２２】
前記インジケーションは、チャネル状態情報（ＣＳＩ）または基準信号受信電力（ＲＳＲＰ）測定のうちの少なくとも１つに基づく、請求項２１に記載の装置。
【請求項２３】
前記メモリは、前記グループ確認応答において否定的に確認応答されたダウンリンクチャネル送信を再送信することを前記基地局に行わせるために前記少なくとも１つのプロセッサによって実行可能な命令をさらに備える、請求項１５に記載の装置。
【請求項２４】
前記第２のＴＴＩは、前記レガシＴＴＩと同じである、請求項１５に記載の装置。
【請求項２５】
前記ダウンリンクチャネル送信は、前記ＵＥのために構成された１つまたは複数のキャリア上で送信される、請求項１５に記載の装置。
【請求項２６】
前記単一のアップリンクチャネル送信は、前記ＵＥのために構成されたプライマリセルまたはプライマリ第２セルのうちの少なくとも１つから送信される、請求項１５に記載の装置。
【請求項２７】
前記メモリは、
個々の確認応答がダウンリンクチャネル送信に対して使用される場合、第１の数のＨＡＲＱ処理を決定することと、
グループ確認応答がダウンリンクチャネル送信に対して使用される場合、第２の数のＨＡＲＱ処理を決定することと
を前記基地局に行わせるために前記少なくとも１つのプロセッサによって実行可能な命令をさらに備える、請求項１５に記載の装置。
【請求項２８】
前記複数のダウンリンクチャネル送信のうちの少なくとも２つは、同じＨＡＲＱ処理に関連付けられる、請求項１５に記載の装置。
【請求項２９】
ワイヤレス通信のための装置であって、
基地局から複数のダウンリンクチャネル送信を受信するための手段と、ここにおいて、前記ダウンリンクチャネル送信の各々は、レガシ送信時間間隔（ＴＴＩ）に比べて短縮された第１のＴＴＩを使用して送られ、
前記第１のＴＴＩより大きい第２のＴＴＩを使用して送られる単一のアップリンクチャネル送信において、前記ダウンリンクチャネル送信がＵＥによって成功して受信されたか否かを示すグループ確認応答を提供するための手段と
を備える、装置。
【請求項３０】
ワイヤレス通信のための装置であって、
ユーザ機器（ＵＥ）に、複数のダウンリンクチャネル送信を送るための手段と、ここにおいて、前記ダウンリンクチャネル送信の各々は、レガシ送信時間間隔（ＴＴＩ）に比べて短縮された第１のＴＴＩを使用して送られ、
前記第１のＴＴＩより大きい第２のＴＴＩを使用して送られる単一のアップリンクチャネル送信において、前記ダウンリンクチャネル送信が前記ＵＥによって成功して受信されたか否かを示すグループ確認応答を受信するための手段と
を備える、装置。
【請求項３１】
ユーザ機器（ＵＥ）によるワイヤレス通信のための非一時的なコンピュータ読取可能な媒体であって、
基地局から複数のダウンリンクチャネル送信を受信することと、ここにおいて、前記ダウンリンクチャネル送信の各々は、レガシ送信時間間隔（ＴＴＩ）に比べて短縮された第１のＴＴＩを使用して送られ、
前記第１のＴＴＩより大きい第２のＴＴＩを使用して送られる単一のアップリンクチャネル送信において、前記ダウンリンクチャネル送信が前記ＵＥによって成功して受信されたか否かを示すグループ確認応答を提供することと
を前記ＵＥに行わせるために少なくとも１つのプロセッサによって実行可能な命令
を備える、非一時的なコンピュータ読取可能な媒体。
【請求項３２】
基地局によるワイヤレス通信のための非一時的なコンピュータ読取可能な媒体であって、
ユーザ機器（ＵＥ）に、複数のダウンリンクチャネル送信を送ることと、ここにおいて、前記ダウンリンクチャネル送信の各々は、レガシ送信時間間隔（ＴＴＩ）に比べて短縮された第１のＴＴＩを使用して送られ、
前記第１のＴＴＩより大きい第２のＴＴＩを使用して送られる単一のアップリンクチャネル送信において、前記ダウンリンクチャネル送信が前記ＵＥによって成功して受信されたか否かを示すグループ確認応答を受信することと
を前記基地局に行わせるために少なくとも１つのプロセッサによって実行可能な命令
を備える、非一時的なコンピュータ読取可能な媒体。
【手続補正２】
【補正対象書類名】明細書
【補正対象項目名】００９１
【補正方法】変更
【補正の内容】
【００９１】
[0102]  本開示の先の説明は、いかなる当業者にも本開示を行うまたは使用することを可能にするように提供される。本開示に対する様々な修正は、当業者に容易に明らかであり、ここで定義されている包括的な原理は、本開示の精神または範囲から逸脱せずに、他のバリエーションに適用され得る。したがって、本開示は、ここで説明された例及び設計に限定されるように意図されたものではなく、ここで開示された原理及び新規な特徴と一致する最も広い範囲が付与されるべきである。
以下に本願発明の当初の特許請求の範囲に記載された発明を付記する。
［Ｃ１］
ユーザ機器（ＵＥ）によるワイヤレス通信のための方法であって、
基地局から、複数のダウンリンクチャネル送信を受信することと、ここで、前記ダウンリンクチャネル送信の各々は、レガシ送信時間間隔（ＴＴＩ）に比べて短縮された第１のＴＴＩを使用して送られ、
前記第１のＴＴＩより大きい第２のＴＴＩを使用して送られる単一のアップリンクチャネル送信において、前記ダウンリンクチャネル送信が前記ＵＥによって成功して受信されたか否かを示すグループ確認応答を提供することと
を備える、方法。
［Ｃ２］
前記レガシＴＴＩは、サブフレーム持続時間に対応する持続時間を有し、
前記第２のＴＴＩは、サブフレームより少ない持続時間に対応する持続時間を有する、
Ｃ１に記載の方法。
［Ｃ３］
前記第１のＴＴＩは、シンボル持続時間に対応する持続時間を有する、Ｃ２に記載の方法。
［Ｃ４］
前記グループ確認応答は、１つまたは複数のサブフレームの複数のタイムスロットにおいて送られるダウンリンクチャネル送信を確認応答するために使用される、Ｃ１に記載の方法。
［Ｃ５］
前記グループ確認応答は、第１のサブフレームの第２のタイムスロット及び第２のサブフレームの第１のタイムスロットにおいて送られるダウンリンクチャネル送信を確認応答するために使用される、Ｃ１に記載の方法。
［Ｃ６］
ダウンリンクチャネル送信に対して前記グループ確認応答または個々の確認応答を使用するためのインジケーションを受信することをさらに備える、Ｃ１に記載の方法。
［Ｃ７］
前記インジケーションは、半静的シグナリングまたは動的シグナリングのうちの少なくとも１つである、Ｃ６に記載の方法。
［Ｃ８］
前記インジケーションは、チャネル状態情報（ＣＳＩ）または基準信号受信電力（ＲＳＲＰ）測定のうちの少なくとも１つに基づく、Ｃ７に記載の方法。
［Ｃ９］
前記グループ確認応答において否定的に確認応答されたダウンリンクチャネル送信の再送信を受信することをさらに備える、Ｃ１に記載の方法。
［Ｃ１０］
前記第２のＴＴＩは、前記レガシＴＴＩと同じである、Ｃ１に記載の方法。
［Ｃ１１］
前記ダウンリンクチャネル送信は、前記ＵＥのために構成された１つまたは複数のキャリア上で送信される、Ｃ１に記載の方法。
［Ｃ１２］
前記単一のアップリンクチャネル送信は、前記ＵＥのために構成されたプライマリセルまたはプライマリ第２セルのうちの少なくとも１つから送信される、Ｃ１に記載の方法。
［Ｃ１３］
個々の確認応答がダウンリンクチャネル送信に対して使用される場合、第１の数のＨＡＲＱ処理を決定することと、
グループ確認応答がダウンリンクチャネル送信に対して使用される場合、第２の数のＨＡＲＱ処理を決定することと
をさらに備える、Ｃ１に記載の方法。
［Ｃ１４］
前記複数のダウンリンクチャネル送信のうちの少なくとも２つは、同じＨＡＲＱ処理に関連付けられる、Ｃ１に記載の方法。
［Ｃ１５］
基地局によるワイヤレス通信のための方法であって、
ユーザ機器（ＵＥ）に、複数のダウンリンクチャネル送信を送ることと、ここで、前記ダウンリンクチャネル送信の各々は、レガシ送信時間間隔（ＴＴＩ）に比べて短縮された第１のＴＴＩを使用して送られ、
前記第１のＴＴＩより大きい第２のＴＴＩを使用して送られる単一のアップリンクチャネル送信において、前記ダウンリンクチャネル送信が前記ＵＥによって成功して受信されたか否かを示すグループ確認応答を受信することと
を備える、方法。
［Ｃ１６］
前記レガシＴＴＩは、サブフレーム持続時間に対応する持続時間を有し、
前記第２のＴＴＩは、サブフレームより少ない持続時間に対応する持続時間を有する、
Ｃ１５に記載の方法。
［Ｃ１７］
前記第１のＴＴＩは、シンボル持続時間に対応する持続時間を有する、Ｃ１６に記載の方法。
［Ｃ１８］
前記グループ確認応答は、１つまたは複数のサブフレームの複数のタイムスロットにおいて送られるダウンリンクチャネル送信を確認応答するために使用される、Ｃ１５に記載の方法。
［Ｃ１９］
前記グループ確認応答は、第１のサブフレームの第２のタイムスロット及び第２のサブフレームの第１のタイムスロットで送られるダウンリンクチャネル送信を確認応答するために使用される、Ｃ１５に記載の方法。
［Ｃ２０］
ダウンリンクチャネル送信に対して前記グループ確認応答または個々の確認応答を使用するためのインジケーションを送信することをさらに備える、Ｃ１５に記載の方法。
［Ｃ２１］
前記インジケーションは、半静的シグナリングまたは動的シグナリングのうちの少なくとも１つである、Ｃ２０に記載の方法。
［Ｃ２２］
前記インジケーションは、チャネル状態情報（ＣＳＩ）または基準信号受信電力（ＲＳＲＰ）測定のうちの少なくとも１つに基づく、Ｃ２１に記載の方法。
［Ｃ２３］
前記グループ確認応答において否定的に確認応答されたダウンリンクチャネル送信を再送信することをさらに備える、Ｃ１５に記載の方法。
［Ｃ２４］
前記第２のＴＴＩは、前記レガシＴＴＩと同じである、Ｃ１５に記載の方法。
［Ｃ２５］
前記ダウンリンクチャネル送信は、前記ＵＥのために構成された１つまたは複数のキャリア上で送信される、Ｃ１５に記載の方法。
［Ｃ２６］
前記単一のアップリンクチャネル送信は、前記ＵＥのために構成されたプライマリセルまたはプライマリ第２セルのうちの少なくとも１つから送信される、Ｃ１５に記載の方法。
［Ｃ２７］
個々の確認応答がダウンリンクチャネル送信に対して使用される場合、第１の数のＨＡＲＱ処理を決定することと、
グループ確認応答がダウンリンクチャネル送信に対して使用される場合、第２の数のＨＡＲＱ処理を決定することと
をさらに備える、Ｃ１５に記載の方法。
［Ｃ２８］
前記複数のダウンリンクチャネル送信のうちの少なくとも２つは、同じＨＡＲＱ処理に関連付けられる、Ｃ１５に記載の方法。
［Ｃ２９］
ワイヤレス通信のための装置であって、
基地局から、複数のダウンリンクチャネル送信を受信し、ここで、前記ダウンリンクチャネル送信の各々は、レガシ送信時間間隔（ＴＴＩ）に比べて短縮された第１のＴＴＩを使用して送られ、前記第１のＴＴＩより大きい第２のＴＴＩを使用して送られる単一のアップリンクチャネル送信において、前記ダウンリンクチャネル送信がＵＥによって成功して受信されたか否かを示すグループ確認応答を提供するように構成された少なくとも１つのプロセッサと、
前記少なくとも１つのプロセッサに結合されたメモリと
を備える、装置。
［Ｃ３０］
ワイヤレス通信のためのａｎであって、
ユーザ機器（ＵＥ）に、複数のダウンリンクチャネル送信を送り、ここで、前記ダウンリンクチャネル送信の各々は、レガシ送信時間間隔（ＴＴＩ）に比べて短縮された第１のＴＴＩを使用して送られ、前記第１のＴＴＩより大きい第２のＴＴＩを使用して送られる単一のアップリンクチャネル送信において、前記ダウンリンクチャネル送信が前記ＵＥによって成功して受信されたか否かを示すグループ確認応答を受信するように構成された少なくとも１つのプロセッサと、
前記少なくとも１つのプロセッサに結合されたメモリと
を備える、ａｎ。
【外国語明細書】
2020174354000001.pdf